(57)【要約】【課題】  データの記録の開始および終了点においてもデータの記録再生を安定に行うことが可能な記録媒体を提供する。【解決手段】  記録領域１０２を備えた記録媒体１０１が提供される。記録領域１０２は、第１領域と、第２領域２０１とを含み、その第１領域は、フレーム領域２０２を含む。フレーム領域２０２は、第２の同期符号系列ＳＹパターンと、データの少なくとも一部とが記録される領域を含み、第２領域は、第３の同期符号系列ＰＡパターンと、第４の同期符号系列２１０１とが記録される領域を含む。【選択図】  図２
2004362776.tif 000002
【特許請求の範囲】
【請求項１】
記録領域を備えた記録媒体であって、
前記記録領域は、第１領域と第２領域とを備え、
前記第１領域は、２以上の所定数のフレーム領域を備えた領域である第４領域を含み、
前記所定数のフレーム領域に含まれる各々のフレーム領域は、同期符号系列と、データの少なくとも一部とが記録される領域を含み、
前記第２領域は、第３の同期符号系列と、第４の同期符号系列とが記録される領域を含み、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れとも異なり、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れとも２以上の符号間距離だけ異なる、記録媒体。
【請求項２】
記録領域を備えた記録媒体に情報を記録する記録方法であって、
前記記録方法は、
（ａ）２以上の所定数のフレーム領域を備えた第４領域を含む領域である第１領域を生成するステップと、
（ｂ）第３の同期符号系列と、第４の同期符号系列を含む領域である第２領域を生成するステップとを含み、
前記所定数のフレーム領域に含まれる各々のフレーム領域は、同期符号系列と、データの少なくとも一部とが記録される領域を含み、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れとも異なり、
前記第４領域の先頭に位置するフレーム領域に記録される同期符号系列は、前記第４領域に含まれるフレーム領域のうち前記第４領域の先頭に位置するフレーム領域以外のフレーム領域に記録される同期符号系列の何れとも２以上の符号間距離だけ異なる、記録方法。
【請求項３】
記録領域を備えた記録媒体に記録された情報を再生する再生方法であって、
前記記録領域は、第１領域と第２領域とを備え、
前記第１領域は、２以上の所定数のフレーム領域を備えた領域である第４領域を含み、
前記所定数のフレーム領域に含まれる各々のフレーム領域は、同期符号系列と、データの少なくとも一部とが記録された領域を含み、
前記第２領域は、第３の同期符号系列と、第４の同期符号系列とが記録された領域を含み、
前記第４領域の先頭に位置するフレーム領域に記録された同期符号系列は、前記第４領域に含まれるフレーム領域のうち前記第４領域の先頭に位置するフレーム領域以外のフレーム領域に記録された同期符号系列の何れとも異なり、
前記第４領域の先頭に位置するフレーム領域に記録された同期符号系列は、前記第４領域に含まれるフレーム領域のうち前記第４領域の先頭に位置するフレーム領域以外のフレーム領域に記録された同期符号系列の何れとも２以上の符号間距離だけ異なり、
前記再生方法は、
前記第３の同期符号系列を再生するステップと、
前記第４の同期符号系列を再生するステップと、
前記第４領域の先頭に位置するフレーム領域に記録された同期符号系列を再生するステップと、
前記データの少なくとも一部を再生するステップと
を包含する、再生方法。
【発明の詳細な説明】
【技術分野】
【０００１】
本発明は高密度にデータが記録される光ディスク媒体、およびそのデータ記録方法に関する。
【背景技術】
【０００２】
近年光ディスク媒体は高密度化の一途を辿っている。一般的にディジタルデータが記録される光ディスク媒体では、そのデータの記録／再生／管理は所定バイト長からなるブロック単位（データブロックと称す）で行われる。各データブロックには番地情報が付与され、その番地情報を参照しながらデータの記録再生が行われる。
【０００３】
また光ディスク媒体へデータの記録の際には、一般的に、オーディオ／ビデオ／コンピュータデータ等の記憶すべきユーザデータに、読み出し時にデータ誤りを検出または訂正するための誤り訂正符号（パリティ符号）等の冗長データが付加される。冗長データが付加されたユーザデータは、光ディスクの記録再生信号特性に適した変調符号方式に従って変換され、光ディスクには、変換後のデータ系列が記録される。光ディスク媒体において良く使用される変調符号方式として、ラン長制限符号（＝Ｒｕｎ  Ｌｅｎｇｔｈ  Ｌｉｍｉｔｅｄ  Ｃｏｄｅ）が知られている。
【０００４】
ここで、ラン長制限符号とは、ビット系列の“１”と“１”の間に挟まれた“０”の個数（以下ゼロランと呼ぶ）が、所定の数に制限されるように、変換後の符号系列を決定することである。データ系列（符号系列）のある“１”から次の“１”までの間隔（長さ）を反転間隔と呼ぶ。ゼロランの制限によって、データ系列の反転間隔の限界、すなわち、最小値および最大値が決まる。これらをそれぞれ最小反転間隔ｄおよび最大反転間隔ｋと呼ぶ。
【０００５】
データ系列をマーク間記録（ＰＰＭ：Ｐｉｔ  Ｐｏｓｉｔｉｏｎ  Ｍｏｄｕｌａｔｉｏｎ）によって光ディスク媒体に記録した場合、データ系列中の“１”が記録マークに対応し、ゼロラン“０”がスペースに対応する。データ系列をマーク長記録（ＰＷＭ：Ｐｕｌｓｅ  Ｗｉｄｔｈ  Ｍｏｄｕｌａｔｉｏｎ）によって記録した場合、系列の“１”の出現によって記録状態、すなわち、光ディスク媒体に記録マークを記録するかスペースを記録するかを切り替えている。マーク長記録の場合、反転間隔は記録マークの長さあるいはスペースの長さに対応する。
【０００６】
従って、例えばディスク上に形成できるマークの物理的な大きさの最小値（「マーク単位」と呼ぶ）が等しい場合、マーク間記録では最小符号長のデータ（データ系列の３ビット“１００”）を記録するのに３マーク単位が必要であるが、マーク長記録では１マーク単位で記録できる。
【０００７】
最小反転間隔がｄ＝２以上であるラン長制限符号を用いる場合、マーク間記録によって記録した場合に比較して、マーク長記録によって記録した場合は、光ディスク媒体の単位長さのトラック当たりのビット数を多くすることができる。すなわち、高密度化を図ることができる。
【０００８】
また、一般的に、変調符号に変換されたデータ系列の光ディスク媒体への記録の際に、データ系列の所定の周期毎に、同期パターンが挿入されることが多い。このような同期パターンは、読み出し時に適切にデータ同期をとる役割を果たす。同期パターンの配置の方法として、フレーム領域と呼ばれる所定のバイト長を有する領域の先頭に、変調符号系列には存在しないような系列を含む同期パターンを配置する方法が知られている。
【０００９】
最近実用化されたいくつかの方式の記録型光ディスク媒体のうち、ＤＶＤ−ＲＷのデータフォーマットについて簡単に説明する。
【００１０】
ＤＶＤ−ＲＷのデータフォーマットにおいては、番地情報はデータの記録を行うグルーブトラックと隣接のグルーブトラックとの間（ランドと呼ばれる）に設けたプリピットにより配置し、データの記録はグルーブトラックに連続して行われる。データ記録再生の最小単位であるＥＣＣブロックは、複数のデータフレーム領域と呼ばれる固定バイト長の領域から構成されている。データフレーム領域は、その先頭に設けられた同期情報領域と、データ領域とからなる。データの記録開始および終了は、各ＥＣＣブロックの先頭に位置するデータフレーム領域のデータ領域において行われる。既に記録されたブロックの次にデータを追記する動作はリンキングと呼ばれ、記録開始・終了点に相当するデータフレーム領域をリンキングフレーム領域と呼ぶ。
【００１１】
図４４は、従来のＤＶＤ−ＲＷのリンキング位置付近のデータフォーマットを示す。ＤＶＤ−ＲＷでは、１ＥＣＣブロックが１６セクタより構成され、１セクタが２６フレーム領域より構成される。データの記録最小単位は１ＥＣＣブロックであり、１ＥＣＣブロックの先頭セクタＳ０の先頭フレーム領域（＝リンキングフレーム領域）のデータ領域ＤＡＴＡにおいて記録の開始・終了が行われる。図４４には、記録の開始・終了位置を「データの追記箇所」として示している。図４４に示される例では、記録の終了位置はリンキングフレーム領域の先頭から１６バイト目、記録の開始位置はリンキングフレーム領域の先頭から１５バイト目から１７バイト目の間となるようにリンキングがなされる。
【発明の開示】
【発明が解決しようとする課題】
【００１２】
記録の開始／終了位置におけるリンキングフレーム領域では、データが不連続に記録される。このため、リンキングの開始点から少なくとも次のフレーム領域までのデータは、正しくビット同期をとれないため読み出すことができない。またリンキングの精度が悪くフレーム領域の長さが長くなったり短くなったりした場合や、同一のフレーム領域で繰り返しリンキング記録をすることによりその箇所の信号が劣化してしまった場合には、リンキング位置をまたぐデータを再生する際に、２値化やＰＬＬ等の信号再生系が不安定となり最悪の場合はリンキング位置以降数フレーム領域の区間でデータが正しく読み出せなくなる可能性がある。このような場合には誤り訂正もできなくなり、読み出しエラーが発生する危険があった。リンキング時にデータを記録する位置の精度を１ビット未満にすれば、誤りなくデータの読み出しを行う可能性が高くなるが、データの記録密度が高くなればなるほど、このような１ビット未満の位置精度を実現することは困難になり、現実的ではなくなる。
【００１３】
本発明は上記のような問題点に鑑み、データの記録の開始および終了点においてもデータの記録再生を安定に行うことが可能な記録媒体、記録方法、再生方法、記録装置および再生装置を提供することを目的とする。
【課題を解決するための手段】
【００１４】
本発明の記録媒体は、記録領域を備えた記録媒体であって、前記記録領域は、第１領域と、第２領域とを含み、前記第１領域は、フレーム領域を含み、前記フレーム領域は、第２の同期符号系列と、データの少なくとも一部とが記録される領域を含み、前記第２領域は、第３の同期符号系列と、第４の同期符号系列とが記録される領域を含み、これにより、上記目的が達成される。
【００１５】
前記第２の同期符号系列は、前記フレーム領域の先頭を示し、前記第３の同期符号系列は、前記第２領域の先頭を示し、前記第４の同期符号系列の少なくとも一部は、データの再生を安定に行うために用いられてもよい。
【００１６】
前記第１領域は、第３領域の後方に設けられ、前記第２領域は、前記第１領域の後方に設けられ、前記第３領域は、第１の同期符号系列が記録される領域を含んでもよい。
【００１７】
前記第１の同期符号系列の少なくとも一部は、データの再生を安定に行うために用いられてもよい。
【００１８】
前記第３領域は、第５の同期符号系列が記録される領域をさらに含んでもよい。
【００１９】
前記第５の同期符号系列は、後続の第１領域の先頭を特定するために用いられてもよい。
【００２０】
前記第１領域は、複数のフレーム領域を含み、前記第１領域は、所定数のフレーム領域を含む第４領域に分割されており、前記第４領域の先頭に位置するフレーム領域に記録される第２の同期符号系列は、前記第４領域の先頭に位置する前記フレーム領域以外のフレーム領域に記録される第２の同期符号系列の何れとも異なってもよい。
【００２１】
前記第４領域の先頭に位置するフレーム領域に記録される第２の符号系列は、前記第４領域の先頭に位置する前記フレーム領域以外のフレーム領域に記録される第２の同期符号系列の何れとも２以上の符号間距離だけ異なってもよい。
【００２２】
前記第４の同期符号系列の長さは、前記記録媒体へのデータの記録のたびにランダムに設定されてもよい。
【００２３】
前記第１の同期符号系列の長さは、前記記録媒体へのデータの記録のたびにランダムに設定されてもよい。
【００２４】
前記第４の同期符号系列の少なくとも一部は、前記記録媒体に追加データが記録される際に記録される第１の同期符号系列によって上書きされてもよい。
【００２５】
本発明の記録方法は、記録領域を有する記録媒体に情報を記録する方法であって、データを受け取るステップと、前記記録領域に、第１の同期符号系列を記録するステップと、前記記録領域の前記第１の同期符号系列を記録した領域の後方に位置する第１領域に、フレームを記録するステップであって、前記フレームは、第２の同期符号系列と、前記受け取ったデータの少なくとも一部とを含む、ステップと、前記第１領域の後方の領域に、第３の同期符号系列を記録するステップと、前記記録領域の前記第３の同期符号系列を記録した領域の後方の領域に、第４の同期符号系列を記録するステップとを包含し、これにより、上記目的が達成される。
【００２６】
前記方法は、前記記録領域の前記第１の同期符号系列を記録した前記領域の後方で、かつ、前記第１領域より前方の領域に第５の同期符号系列を記録するステップをさらに包含してもよい。
【００２７】
前記第１領域は、複数のフレーム領域を含み、前記第１領域は、所定数のフレーム領域を含む第４領域に分割されており、前記第４領域の先頭に位置するフレーム領域に記録される第２の同期符号系列は、前記第４領域の先頭に位置する前記フレーム領域以外のフレーム領域に記録される第２の同期符号系列の何れとも異なってもよい。
【００２８】
前記第４領域の先頭に位置するフレーム領域に記録される第２の符号系列は、前記第４領域の先頭に位置する前記フレーム領域以外のフレーム領域に記録される第２の同期符号系列の何れとも２以上の符号間距離だけ異なってもよい。
【００２９】
前記第１の同期符号系列を記録するステップは、前記第１の同期符号系列の長さをランダムに設定するステップを包含してもよい。
【００３０】
前記第４の同期符号系列を記録するステップは、前記第４の同期符号系列の長さをランダムに設定するステップを包含してもよい。
【００３１】
前記第１の同期符号系列の少なくとも一部はデータの再生を安定に行うために用いられ、前記第２の同期符号系列は前記フレーム領域の先頭を示し、前記第３の同期符号系列は前記第３の同期符号系列と前記第４の同期符号系列とを含む第２領域の先頭を示し、前記第４の同期符号系列の少なくとも一部はデータの再生を安定に行うために用いられ、前記第５の同期符号系列は、前記第１領域の先頭を特定するために用いられてもよい。
【００３２】
前記第４の同期符号系列の少なくとも一部は、前記記録媒体に追加データが記録される際に記録される第１の同期符号系列によって上書きされてもよい。
【００３３】
本発明の他の記録方法は、情報を記録した記録領域を有する記録媒体に追加情報を記録する方法であって、前記記録領域は、第１領域と、第２領域とを含み、前記第１領域は、フレーム領域を含み、前記フレーム領域は、第２の同期符号系列と、データの少なくとも一部とが記録された領域を含み、前記第２領域は、第３の同期符号系列と、第４の同期符号系列とが記録された領域を含み、前記方法は、前記追加データを受け取るステップと、前記第３の同期符号系列を検出するステップと、前記検出された第３の同期符号系列の位置を基準にして、前記記録領域中の記録開始位置を決定するステップと、前記記録開始位置において、第１の追加同期符号系列を記録するステップと、前記記録領域の前記第１の追加同期符号系列を記録した領域の後方の領域に、追加フレームを含む追加第１領域データを記録するステップであって、前記追加フレームは、追加フレームの先頭を識別する第２の追加同期符号系列と、前記受け取った追加データの少なくとも一部を含む、ステップと、前記追加第１領域データを記録した追加第１領域の後方の領域に、第３の追加同期符号系列を記録するステップと、前記第３の追加同期符号系列を記録した領域の後方の領域に、第４の追加同期符号系列を記録するステップとを包含し、これにより、上記目的が達成される。
【００３４】
前記方法は、前記記録領域の前記第１の追加同期符号系列を記録した前記領域の後方で、かつ、前記追加第１領域の前方の領域に、第５の追加同期符号系列を記録するステップをさらに包含してもよい。
【００３５】
前記第１の追加同期符号系列の少なくとも一部はデータの再生を安定に行うために用いられ、前記第２の追加同期符号系列は、前記フレーム領域の先頭を示し、前記第３の追加同期符号系列は前記第３の追加同期符号系列と前記第４の追加同期符号系列とを含む第２領域の先頭を示し、前記第４の追加同期符号系列の少なくとも一部はデータの再生を安定に行うために用いられ、前記第５の追加同期符号系列は、前記追加第１領域の先頭を特定するために用いられてもよい。
【００３６】
前記複数の追加フレームは、それぞれが所定の数の追加フレームを含むセクタデータに分割されており、前記所定の数の追加フレームのうち、各セクタデータの先頭の追加フレームの第２の追加同期符号系列は、各セクタデータの先頭の前記追加フレーム以外の追加フレームの第２の追加同期符号系列の何れとも異なってもよい。
【００３７】
前記所定の数の追加フレームのうち、各セクタデータの先頭の追加フレームデータの第２の追加同期符号系列は、各セクタデータの先頭の前記追加フレーム以外の追加フレームの第２の追加同期符号系列の何れとも２以上の符号間距離だけ異なってもよい。
【００３８】
前記記録領域中の記録開始位置を決定するステップは、前記記録開始位置をランダムに決定するステップを包含してもよい。
【００３９】
前記第１の追加同期符号系列を記録するステップは、前記第１の追加同期符号系列の長さをランダムに設定するステップを包含してもよい。
【００４０】
前記第４の同期符号系列を記録するステップは、前記第４の同期符号系列の長さをランダムに設定するステップを包含してもよい。
【００４１】
前記記録領域中の記録開始位置を決定するステップは、前記第１の追加同期符号系列が前記第４の同期符号系列の少なくとも一部に上書きされるように、前記記録開始位置を決定するステップを包含してもよい。
【００４２】
本発明の記録装置は、記録領域を有する記録媒体に情報を記録する記録装置であって、データを受け取る受け取り手段と、前記記録領域に、第１の同期符号系列を記録する記録手段とを備え、前記記録手段は、前記記録領域の前記第１の同期符号系列を記録した領域の後方に位置する第１の領域に、フレームを記録し、前記フレームは、第２の同期符号系列と、前記受け取ったデータの少なくとも一部とを含み、前記記録手段は、前記第１領域の後方の領域に、第３の同期符号系列を記録し、前記記録手段は、前記記録領域の前記第３の同期符号系列を記録した領域の後方の領域に、第４の同期符号系列を記録し、これにより、上記目的が達成される。
【００４３】
前記記録手段は、前記記録領域の前記第１の同期符号系列を記録した前記領域の後方で、かつ、前記第１領域より前方の領域に第５の同期符号系列を記録してもよい。
【００４４】
前記第１領域は、複数のフレーム領域を含み、前記第１領域は、所定数のフレーム領域を含む第４領域に分割されており、前記第４領域の先頭に位置するフレーム領域に記録される第２の同期符号系列は、前記第４領域の先頭に位置する前記フレーム領域以外のフレーム領域に記録される第２の同期符号系列の何れとも異なってもよい。
【００４５】
前記第４領域の先頭に位置するフレーム領域に記録される第２の符号系列は、前記第４領域の先頭に位置する前記フレーム領域以外のフレーム領域に記録される第２の同期符号系列の何れとも２以上の符号間距離だけ異なってもよい。
【００４６】
前記記録手段は、前記第１の同期符号系列の長さをランダムに設定してもよい。
【００４７】
前記記録手段は、前記第４の同期符号系列の長さをランダムに設定してもよい。
【００４８】
前記第１の同期符号系列の少なくとも一部はデータの再生を安定に行うために用いられ、前記第２の同期符号系列は前記フレーム領域の先頭を示し、前記第３の同期符号系列は前記第３の同期符号系列と前記第４の同期符号系列とを含む第２領域の先頭を示し、前記第４の同期符号系列の少なくとも一部はデータの再生を安定に行うために用いられ、前記第５の同期符号系列は、前記第１領域の先頭を特定するために用いられてもよい。
【００４９】
前記第４の同期符号系列の少なくとも一部は、前記記録媒体に追加データが記録される際に記録される第１の同期符号系列によって上書きされてもよい。
【００５０】
本発明の他の記録装置は、情報を記録した記録領域を有する記録媒体に追加情報を記録する記録装置であって、前記記録領域は、第１領域と、第２領域とを含み、前記第１領域は、フレーム領域を含み、前記フレーム領域は、第２の同期符号系列と、データの少なくとも一部とが記録された領域を含み、前記第２領域は、第３の同期符号系列と、第４の同期符号系列とが記録された領域を含み、前記記録装置は、前記追加データを受け取る受け取り手段と、前記第３の同期符号系列を検出する検出手段と、前記検出された第３の同期符号系列の位置を基準にして、前記記録領域中の記録開始位置を決定する決定手段と、前記記録開始位置において、第１の追加同期符号系列を記録する記録手段とを備え、前記記録手段は、前記記録領域の前記第１の追加同期符号系列を記録した領域の後方の領域に、追加フレームを含む追加第１領域データを記録し、前記追加フレームは、追加フレームの先頭を識別する第２の追加同期符号系列と、前記受け取った追加データの少なくとも一部を含み、前記記録手段は、前記追加第１領域データを記録した追加第１領域の後方の領域に、第３の追加同期符号系列を記録し、前記記録手段は、前記第３の追加同期符号系列を記録した領域の後方の領域に、第４の追加同期符号系列を記録し、これにより、上記目的が達成される。
【００５１】
前記記録手段は、前記記録領域の前記第１の追加同期符号系列を記録した前記領域の後方で、かつ、前記追加第１領域の前方の領域に、第５の追加同期符号系列を記録してもよい。
【００５２】
前記第１の追加同期符号系列の少なくとも一部はデータの再生を安定に行うために用いられ、前記第２の追加同期符号系列は、前記フレーム領域の先頭を示し、前記第３の追加同期符号系列は前記第３の追加同期符号系列と前記第４の追加同期符号系列とを含む第２領域の先頭を示し、前記第４の追加同期符号系列の少なくとも一部はデータの再生を安定に行うために用いられ、前記第５の追加同期符号系列は、前記追加第１領域の先頭を特定するために用いられてもよい。
【００５３】
前記複数の追加フレームは、それぞれが所定の数の追加フレームを含む複数のセクタデータに分割されており、前記所定の数の追加フレームのうち、各セクタデータの先頭の追加フレームの第２の追加同期符号系列は、各セクタデータの先頭の前記追加フレーム以外の追加フレームの第２の追加同期符号系列の何れとも異なってもよい。
【００５４】
前記所定の数の追加フレームのうち、各セクタデータの先頭の追加フレームの第２の追加同期符号系列は、各セクタデータの先頭の前記追加フレーム以外の追加フレームの第２の追加同期符号系列の何れとも２以上の符号間距離だけ異なってもよい。
【００５５】
前記決定手段は、前記記録開始位置をランダムに決定してもよい。
【００５６】
前記記録手段は、前記第１の追加同期符号系列の長さをランダムに設定してもよい。
【００５７】
前記記録手段は、前記第４の追加同期符号系列の長さをランダムに設定してもよい。
【００５８】
前記決定手段は、前記第１の追加同期符号系列が前記第４の同期符号系列の少なくとも一部に上書きされるように、前記記録開始位置を決定してもよい。
【００５９】
本発明の再生方法は、記録領域を備えた記録媒体に記録された情報を再生する方法であって、前記記録領域は、第１領域と、第２領域とを含み、前記第１領域は、フレーム領域を含み、前記フレーム領域は、第２の同期符号系列と、データの少なくとも一部とが記録された領域を含み、前記第２領域は、第３の同期符号系列と、第４の同期符号系列とが記録された領域を含み、前記方法は、前記第３の同期符号系列を再生するステップと、前記第４の同期符号系列を再生するステップと、第２の同期符号系列を再生するステップと、前記データの前記少なくとも一部を再生するステップとを包含し、これにより、上記目的が達成される。
【００６０】
前記第２の同期符号系列は、前記フレーム領域の先頭を示し、前記第３の同期符号系列は、前記第２領域の先頭を示し、前記第４の同期符号系列の少なくとも一部は、データの再生を安定に行うために用いられてもよい。
【００６１】
前記第１領域は、第３領域の後方に設けられ、前記第２領域は、前記第１領域の後方に設けられ、前記第３領域は、第１の同期符号系列が記録された領域を含み、前記方法は、前記第１の同期符号系列を再生するステップをさらに包含してもよい。
【００６２】
前記第１の同期符号系列の少なくとも一部は、データの再生を安定に行うために用いられてもよい。
【００６３】
前記第３領域は、第５の同期符号系列が記録される領域をさらに含んでもよい。
【００６４】
前記第５の同期符号系列は、後続の第１領域の先頭を特定するために用いられてもよい。
【００６５】
前記第１領域は、複数のフレーム領域を含み、前記第１領域は、所定数のフレーム領域を含む第４領域に分割されており、前記第４領域の先頭に位置するフレーム領域に記録される第２の同期符号系列は、前記第４領域の先頭に位置する前記フレーム領域以外のフレーム領域に記録される第２の同期符号系列の何れとも異なってもよい。
【００６６】
前記第４領域の先頭に位置するフレーム領域に記録された第２の符号系列は、前記第４領域の先頭に位置する前記フレーム領域以外のフレーム領域に記録された第２の同期符号系列の何れとも２以上の符号間距離だけ異なってもよい。
【００６７】
前記第４の同期符号系列の長さは、前記記録媒体へのデータの記録のたびにランダムに設定されてもよい。
【００６８】
前記第１の同期符号系列の長さは、前記記録媒体へのデータの記録のたびにランダムに設定されてもよい。
【００６９】
前記第４の同期符号系列の少なくとも一部は、前記記録媒体に追加データが記録される際に記録される第１の同期符号系列によって上書きされてもよい。
【００７０】
本発明の再生装置は、記録領域を備えた記録媒体に記録された情報を再生する再生装置であって、前記記録領域は、第１領域と、第２領域とを含み、前記第１領域は、フレーム領域を含み、前記フレーム領域は、第２の同期符号系列と、データの少なくとも一部とが記録された領域を含み、前記第２領域は、第３の同期符号系列と、第４の同期符号系列とが記録された領域を含み、前記再生装置は、前記第３の同期符号系列を再生する手段と、前記第４の同期符号系列を再生する手段と、第２の同期符号系列を再生する手段と、前記データの前記少なくとも一部を再生する手段とを備え、これにより、上記目的が達成される。
【００７１】
前記第２の同期符号系列は、前記フレーム領域の先頭を示し、前記第３の同期符号系列は、前記第２領域の先頭を示し、前記第４の同期符号系列の少なくとも一部は、データの再生を安定に行うために用いられてもよい。
【００７２】
前記第１領域は、第３領域の後方に設けられ、前記第２領域は、前記第１領域の後方に設けられ、前記第３領域は、第１の同期符号系列が記録された領域を含み、前記再生装置は、前記第１の同期符号系列を再生する手段をさらに備えてもよい。
【００７３】
前記第１の同期符号系列の少なくとも一部は、データの再生を安定に行うために用いられてもよい。
【００７４】
前記第３領域は、第５の同期符号系列が記録される領域をさらに含んでもよい。
【００７５】
前記第５の同期符号系列は、後続の第１領域の先頭を特定するために用いられてもよい。
【００７６】
前記第１領域は、複数のフレーム領域を含み、前記第１領域は、所定数のフレーム領域を含む第４領域に分割されており、前記第４領域の先頭に位置するフレーム領域に記録される第２の同期符号系列は、前記第４領域の先頭に位置する前記フレーム領域以外のフレーム領域に記録される第２の同期符号系列の何れとも異なってもよい。
【００７７】
前記第４領域の先頭に位置するフレーム領域に記録された第２の符号系列は、前記第４領域の先頭に位置する前記フレーム領域以外のフレーム領域に記録された第２の同期符号系列の何れとも２以上の符号間距離だけ異なってもよい。
【００７８】
前記第４の同期符号系列の長さは、前記記録媒体へのデータの記録のたびにランダムに設定されてもよい。
【００７９】
前記第１の同期符号系列の長さは、前記記録媒体へのデータの記録のたびにランダムに設定されてもよい。
【００８０】
前記第４の同期符号系列の少なくとも一部は、前記記録媒体に追加データが記録される際に記録される第１の同期符号系列によって上書きされてもよい。
【００８１】
本発明の他の記録媒体は、データを記録するための書き換え可能な記録領域と、ユーザデータと、前記ユーザデータとは異なる特定データとを記録した再生専用の記録領域とを備えた記録媒体であって、前記書き換え可能な記録領域は、第１領域と、第２領域とを含み、前記第１領域は、フレーム領域を含み、前記フレーム領域は、第２の同期符号系列と、データの少なくとも一部とが記録される領域を含み、前記第２領域は、第３の同期符号系列と、第４の同期符号系列とが記録される領域を含み、前記再生専用の記録領域は、複数のさらなるフレーム領域であって、前記複数のさらなるフレーム領域のそれぞれは、前記さらなるフレーム領域の先頭を識別する第２のさらなる同期符号系列と、前記ユーザデータの少なくとも一部とを記録した、複数のさらなるフレーム領域と、第３のさらなる同期符号系列と、前記特定データとを記録した領域とを含み、前記第３のさらなる同期符号系列は、前記特定データの先頭を識別し、これにより、上記目的が達成される。
【００８２】
本発明の他の再生方法は、記録媒体に記録された特定データを再生する方法であって、前記記録媒体は、データを記録するための書き換え可能な記録領域と、ユーザデータと、前記ユーザデータとは異なる前記特定データとを記録した再生専用の記録領域とを有し、前記書き換え可能な記録領域は、第１領域と、第２領域とを含み、前記第１領域は、フレーム領域を含み、前記フレーム領域は、第２の同期符号系列と、データの少なくとも一部とが記録される領域を含み、前記第２領域は、第３の同期符号系列と、第４の同期符号系列とが記録される領域を含み、前記再生専用の記録領域は、複数のさらなるフレーム領域であって、前記複数のさらなるフレーム領域のそれぞれは、前記さらなるフレーム領域の先頭を識別する第２のさらなる同期符号系列と、前記ユーザデータの少なくとも一部とを記録した、複数のさらなるフレーム領域と、第３のさらなる同期符号系列と、前記特定データとを記録した領域とを含み、前記第３のさらなる同期符号系列は、前記特定データの先頭を識別し、前記方法は、前記第３のさらなる同期符号系列を検出するステップと、前記第３のさらなる同期符号系列の検出に応答して、前記特定データを再生するステップとを包含し、これにより、上記目的が達成される。
【００８３】
本発明の他の再生装置は、記録媒体に記録された特定データを再生する再生装置であって、前記記録媒体は、データを記録するための書き換え可能な記録領域と、ユーザデータと前記ユーザデータとは異なる前記特定データとを記録した再生専用の記録領域とを有し、前記書き換え可能な記録領域は、第１領域と、第２領域とを含み、前記第１領域は、フレーム領域を含み、前記フレーム領域は、第２の同期符号系列と、データの少なくとも一部とが記録される領域を含み、前記第２領域は、第３の同期符号系列と、第４の同期符号系列とが記録される領域を含み、前記再生専用の記録領域は、複数のさらなるフレーム領域であって、前記複数のさらなるフレーム領域のそれぞれは、前記さらなるフレーム領域の先頭を識別する第２のさらなる同期符号系列と、前記ユーザデータの少なくとも一部とを記録した、複数のさらなるフレーム領域と、第３のさらなる同期符号系列と、前記特定データとを記録した領域とを含み、前記第３のさらなる同期符号系列は、前記特定データの先頭を識別し、前記再生装置は、前記第３のさらなる同期符号系列を検出する検出手段と、前記第３のさらなる同期符号系列の検出に応答して、前記特定データを再生する再生手段とを備え、これにより、上記目的が達成される。
【００８４】
本発明の他の記録媒体は、ユーザデータと、前記ユーザデータとは異なる特定データとを記録した再生専用の記録領域を備えた記録媒体であって、前記再生専用の記録領域は、複数のフレーム領域であって、前記複数のフレーム領域のそれぞれは、前記フレーム領域の先頭を識別する第２の同期符号系列と、前記ユーザデータの少なくとも一部とを記録した、複数のフレーム領域と、第３の同期符号系列と、前記特定データとを記録した領域とを含み、前記第３の同期符号系列は、前記特定データの先頭を識別し、これにより、上記目的が達成される。
【００８５】
本発明の他の再生方法は、記録媒体に記録された特定データを再生する方法であって、前記記録媒体は、ユーザデータと、前記ユーザデータとは異なる前記特定データとを記録した再生専用の記録領域を有し、前記再生専用の記録領域は、複数のフレーム領域であって、前記複数のフレーム領域のそれぞれは、前記フレーム領域の先頭を識別する第２の同期符号系列と、前記ユーザデータの少なくとも一部とを記録した、複数のフレーム領域と、第３の同期符号系列と、前記特定データとを記録した領域とを含み、前記第３の同期符号系列は、前記特定データの先頭を識別し、前記方法は、前記第３の同期符号系列を検出するステップと、前記第３の同期符号系列の検出に応答して、前記特定データを再生するステップとを包含し、これにより、上記目的が達成される。
【００８６】
本発明の他の再生装置は、記録媒体に記録された特定データを再生する再生装置であって、前記記録媒体は、ユーザデータと、前記ユーザデータとは異なる前記特定データとを記録した再生専用の記録領域を有し、前記再生専用の記録領域は、複数のフレーム領域であって、前記複数のフレーム領域のそれぞれは、前記フレーム領域の先頭を識別する第２の同期符号系列と、前記ユーザデータの少なくとも一部とを記録した、複数のフレーム領域と、第３の同期符号系列と、前記特定データとを記録した領域とを含み、前記第３の同期符号系列は、前記特定データの先頭を識別し、前記再生装置は、前記第３の同期符号系列を検出する検出手段と、前記第３の同期符号系列の検出に応答して、前記特定データを再生する再生手段とを備え、これにより、上記目的が達成される。
【００８７】
本発明の他の記録装置は、情報が記録された記録媒体にさらなる情報を追記もしくは上書きする記録装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記記録装置は、前記第２のデータ単位から前記第２の同期符号系列を検出する第１の検出手段と、前記第２のデータ単位から前記第３の同期符号系列を検出する第３の検出手段と、前記第１の検出手段による検出結果、及び／または、前記第３の検出手段による検出結果を用いて、前記さらなる情報の追記もしくは上書きの開始のタイミングを決定する記録開始タイミング決定手段とを備え、これにより、上記目的が達成される。
【００８８】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記再生装置は、前記第２の同期符号系列を検出する第１の検出手段と、前記第３の同期符号系列を検出する第３の検出手段と、前記第１の検出手段によって得られた、前記情報を読み出すべき第２のデータ単位より手前に位置する第２のデータ単位からの前記第１の同期符号系列の検出結果、及び／または、前記第３の検出手段によって得られた、前記情報を読み出すべき第２のデータ単位より手前に位置する第２のデータ単位からの前記第３の同期符号系列の検出結果を用いて、前記情報の読み出しの開始タイミングを決定する再生開始タイミング決定手段とを備え、これにより、上記目的が達成される。
【００８９】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記再生装置は、前記記録媒体からの読み出し信号を２値化することにより、２値化データを生成する２値化手段と、前記２値化手段により２値化された２値化データから前記第２の同期符号系列を検出する第１の検出手段と、前記２値化データから前記第３の同期符号系列を検出する第３の検出手段と、前記第１の検出手段によって得られた、前記情報を読み出すべき第２のデータ単位より手前に位置する第２のデータ単位からの前記第１の同期符号系列の検出結果、及び／または、前記第３の検出手段によって得られた、前記情報を読み出すべき第２のデータ単位より手前に位置する第２のデータ単位からの前記第３の同期符号系列の検出結果を用いて、前記少なくとも１つの第１のフレーム領域の所定の位置において前記２値化手段の２値化モードを切替える２値化モード切り替え手段とを備え、これにより、上記目的が達成される。
【００９０】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記再生装置は、前記記録媒体から読み出された信号を用いてビット同期クロックを生成するクロック生成手段と、前記ビット同期クロックを用いて、前記第２の同期符号系列を検出する第１の検出手段と、前記ビット同期クロックを用いて、前記第３の同期符号系列を検出する第３の検出手段と、前記第１の検出手段によって得られた、前記情報を読み出すべき第２のデータ単位より手前に位置する第２のデータ単位からの前記第１の同期符号系列の検出結果、及び／または、前記第３の検出手段によって得られた、前記情報を読み出すべき第２のデータ単位より手前に位置する第２のデータ単位からの前記第３の同期符号系列の検出結果を用いて、前記少なくとも１つの第１のフレーム領域の所定の位置において前記クロック再生手段のクロック再生モードを切替えるクロック再生モード切り替え手段とを備え、これにより、上記目的が達成される。
【００９１】
本発明の他の記録装置は、情報が記録された記録媒体にさらなる情報を追記もしくは上書きする記録装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記少なくとも１つの第１のフレーム領域のそれぞれの末尾には、第５の同期符号系列が記録されており、前記記録装置は、前記第２のデータ単位から前記第２の同期符号系列を検出する第１の検出手段と、前記第２のデータ単位から前記第３の同期符号系列を検出する第３の検出手段と、前記第２のデータ単位から前記第５の同期符号系列を検出する第４の検出手段と、前記第１の検出手段による検出結果、前記第３の検出手段による検出結果および前記第４の検出手段による検出結果のうち少なくとも１つの用いて、前記さらなる情報の追記もしくは上書きの開始のタイミングを決定する記録開始タイミング決定手段とを備え、これにより、上記目的が達成される。
【００９２】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記少なくとも１つの第１のフレーム領域のそれぞれの末尾には、第５の同期符号系列が記録されており、前記再生装置は、前記第２の同期符号系列を検出する第１の検出手段と、前記第３の同期符号系列を検出する第３の検出手段と、前記第５の同期符号系列を検出する第４の検出手段と、前記第１の検出手段によって得られた、前記情報を読み出すべき第２のデータ単位より手前に位置する第２のデータ単位からの前記第１の同期符号系列の検出結果、前記第３の検出手段によって得られた、前記情報を読み出すべき第２のデータ単位より手前に位置する第２のデータ単位からの前記第３の同期符号系列の検出結果、および前記第４の検出手段によって得られた、前記情報を読み出すべき第２のデータ単位より手前に位置する第２のデータ単位からの前記第４の同期符号系列の検出結果のうち少なくとも１つを用いて、前記情報の読み出しの開始タイミングを決定する再生開始タイミング決定手段とを備え、これにより、上記目的が達成される。
【００９３】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記少なくとも１つの第１のフレーム領域のそれぞれの末尾には、第５の同期符号系列が記録されており、前記再生装置は、前記記録媒体からの読み出し信号を２値化することにより、２値化データを生成する２値化手段と、前記２値化手段により２値化された２値化データから前記第２の同期符号系列を検出する第１の検出手段と、前記２値化データから前記第３の同期符号系列を検出する第３の検出手段と、前記２値化データから前記第５の同期符号系列を検出する第４の検出手段と、前記第１の検出手段によって得られた、前記情報を読み出すべき第２のデータ単位より手前に位置する第２のデータ単位からの前記第１の同期符号系列の検出結果、前記第３の検出手段によって得られた、前記情報を読み出すべき第２のデータ単位より手前に位置する第２のデータ単位からの前記第３の同期符号系列の検出結果、および前記第４の検出手段によって得られた、前記情報を読み出すべき第２のデータ単位より手前に位置する第２のデータ単位からの前記第４の同期符号系列の検出結果のうち少なくとも１つを用いて、前記少なくとも１つの第１のフレーム領域の所定の位置において前記２値化手段の２値化モードを切替える２値化モード切り替え手段とを備え、それにより、上記目的が達成される。
【００９４】
本発明の他の再生装置は、情報が記録された記録媒体から前記情報を読み出す再生装置であって、前記記録媒体は、少なくとも１つの第２のデータ単位を含み、前記少なくとも１つの第２のデータ単位のそれぞれは、所定の数の第１のデータ単位を含み、前記所定の数の第１のデータ単位のそれぞれは、所定バイト長さの複数のフレーム領域から構成されており、前記複数のフレーム領域のうち少なくとも１つのフレーム領域の先頭には第２の同期符号系列が記録されており、前記記録媒体は、前記第２のデータ単位ごとに、少なくとも１つの第１のフレーム領域をさらに含み、前記少なくとも１つの第１のフレーム領域のそれぞれの先頭には、第３の同期符号系列が記録されており、前記少なくとも１つの第１のフレーム領域のそれぞれの末尾には、第５の同期符号系列が記録されており、前記再生装置は、前記記録媒体から読み出された信号を用いてビット同期クロックを生成するクロック生成手段と、前記ビット同期クロックを用いて、前記第２の同期符号系列を検出する第１の検出手段と、前記ビット同期クロックを用いて、前記第３の同期符号系列を検出する第３の検出手段と、前記ビット同期クロックを用いて、前記第５の同期符号系列を検出する第４の検出手段と、前記第１の検出手段によって得られた、前記情報を読み出すべき第２のデータ単位より手前に位置する第２のデータ単位からの前記第１の同期符号系列の検出結果、前記第３の検出手段によって得られた、前記情報を読み出すべき第２のデータ単位より手前に位置する第２のデータ単位からの前記第３の同期符号系列の検出結果、および前記第４の検出手段によって得られた、前記情報を読み出すべき第２のデータ単位より手前に位置する第２のデータ単位からの前記第４の同期符号系列の検出結果のうち少なくとも１つを用いて、前記少なくとも１つの第１のフレーム領域の所定の位置において前記クロック再生手段のクロック再生モードを切替えるクロック再生モード切り替え手段とを備え、これより、上記目的が達成される。
【００９５】
以下、作用を説明する。
【００９６】
本発明の記録媒体では、記録領域が、第１領域と、第２領域とを含む。第１領域は、フレーム領域を含み、そのフレーム領域には、第２の同期符号系列と、データの少なくとも一部とが記録される。第２領域は、第３の同期符号系列と、第４の同期符号系列とが記録される領域を含む。このような記録媒体にデータを追記（リンキング）する場合には、第４の同期符号系列の途中を開始点として、追記動作を始めればよい。これにより、データを記録したフレーム領域において追記動作が行われることがないので、データの記録の開始および終了点においてもデータの記録再生を安定に行うことが可能になる。
【発明の効果】
【００９７】
本発明の記録媒体では、記録領域が、第１領域と、第２領域とを含む。第１領域は、フレーム領域を含み、そのフレーム領域には、第２の同期符号系列と、データの少なくとも一部とが記録される。第２領域は、第３の同期符号系列と、第４の同期符号系列とが記録される領域を含む。このような記録媒体にデータを追記（リンキング）する場合には、第４の同期符号系列の途中を開始点として、追記動作を始めればよい。これにより、データを記録したフレーム領域において追記動作が行われることがないので、データの記録の開始および終了点においてもデータの記録再生を安定に行うことが可能になる。
【発明を実施するための最良の形態】
【００９８】
以下、図面を参照しながら本発明の実施の形態を説明する。なお、本明細書中において、「先頭」および「末尾」は、光ディスク媒体の情報トラックに沿う位置関係を示し、情報トラックに沿ったある区間内でデータが最初に記録または再生される位置をその区間の「先頭」（または、その区間に記録されたデータの先頭）とよび、最後に記録または再生される位置をその区間の「末尾」（または、その区間に記録されたデータの末尾）とよぶ。情報トラックに沿って領域Ａと領域Ｂとがある場合、領域Ａの方が領域Ｂよりも後に記録または再生される場合に、領域Ａは領域Ｂの「後方」にあるという。この場合に、また、領域Ｂは領域Ａの「前方」にあるという。ただし、「後方」および「前方」にあることは、２つの領域が隣接することに限定されない。領域Ａの方が領域Ｂよりも後方にあり、かつ、領域Ａが領域Ｂに隣接する場合に、領域Ａは領域Ｂの後続の領域であるという。
【００９９】
また、本明細書中で、フレーム領域とは、光ディスク媒体の情報トラック上の特定の領域をいう。このフレーム領域には、所定量のデータおよび／または所定量の符号系列が記録される。このフレーム領域に記録されるデータもしくは符号系列を「フレーム」と呼ぶ。また、本明細書中で、セクタとは、光ディスク媒体の情報トラック上の特定の領域をいい、複数の上述したフレーム領域を含む。
【０１００】
（実施の形態１）
図１は、本発明の実施の形態１における記録可能な光ディスク媒体（記録媒体）の上面図を示す。図１に示されるように、光ディスク媒体１０１の記録面には情報トラック１０２（記録領域）がスパイラル状（螺旋状）に形成されており、情報トラック１０２はさらにデータブロック１０３に分割されている。すなわち、光ディスク媒体１０１の記録面において、データブロック１０３が円周方向に連続して配置され、情報トラック１０２を形成している。
【０１０１】
図２は、光ディスク媒体１０１のデータブロック１０３のデータフォーマットを示す。図２に示されるように、各データブロック１０３の先頭には、第１のフレーム領域２０１が設けられ、続いて第２のフレーム領域２０２が複数個配置され、１つのデータブロック１０３を構成している。図２において、右側に示される領域は、左側に示される領域よりも後方の領域である。
【０１０２】
このように、光ディスク媒体１０１の情報トラック１０２（記録領域）は、１つのデータブロックに含まれる複数の第２のフレーム領域２０２（全体として第１の領域）と、第１のフレーム領域２０１（第２領域）とを含む。
【０１０３】
第１のフレーム領域２０１には、その先頭に第１の同期領域ＰＡが配置され、続いて第２の同期領域ＶＦＯが配置されている。
【０１０４】
第２のフレーム領域２０２（フレーム領域）には、その先頭に第３の同期領域ＳＹが配置され、続いてデータ領域ＤＡＴＡが配置されている。第３の同期領域ＳＹは、ＳＹパターン（第２の同期符号系列）が記録される領域であり、データ領域ＤＡＴＡは、記録媒体に記録されるユーザデータの少なくとも一部が記録される領域である。すなわち、第２のフレーム領域２０２（フレーム領域）は、ＳＹパターン（第２の同期符号系列）と、ユーザデータの少なくとも一部とが記録される領域を含む。
【０１０５】
ここで各領域の役割について説明する。まずデータ領域ＤＡＴＡは、ユーザデータを含むデータ系列を記録する領域である。データ系列は、ユーザデータ以外に読み出し時のデータ誤りの検出または訂正のためのパリティ符号を含む。また、データ系列は、バイナリデータそのものでなく、光ディスク媒体の記録再生信号特性に合致した変調方式で変換されて記録される。
【０１０６】
変調後のデータ系列が最小ラン（最小反転間隔）ｄ、最大ラン（最大反転間隔）ｋに制限された符号系列であり、その符号系列が、入力データ系列を（ｍ×ｉ）ビット単位にブロック化し、そのブロックの入力データを（ｎ×ｉ）ビット単位の符号系列に変換することによって得られる場合、その変調方式を（ｄ，ｋ；ｍ，ｎ；ｒ）変調符号と呼ぶ。ここで、ｄおよびｋは、ｄ＜ｋを満たす自然数であり、ｍおよびｎは、ｍ＜ｎを満たす自然数であり、ｉは１≦ｉ≦ｒを満たす自然数である。特に、ｒ＝１である場合には、この変調方式は固定長符号と呼ばれ、ｒ≧１である場合（ｉが複数の値をとり得る場合）には、可変長符号と呼ばれる。
【０１０７】
符号系列をＮＲＺ（Ｎｏｎ  Ｒｅｔｕｒｎ  ｔｏ  Ｚｅｒｏ）の形式で記録した場合、符号系列の“１”が記録マークに対応し、ゼロラン“０”がスペースに対応する。ここで、記録マークおよびスペースは、光ディスク媒体においては、凹凸のピットや記録膜の相変化等による反射率の違いによって表される。また、符号系列をＮＲＺＩ（Ｎｏｎ  Ｒｅｔｕｒｎ  ｔｏ  Ｚｅｒｏ  ｉｎｖｅｒｔｅｄ）の形式で記録した場合、系列中の“１”の出現によって記録状態、すなわち、マークを記録するかスペースを記録するかを切り替えている。マーク長記録の場合、反転間隔は記録マークの長さあるいはスペースの長さに対応する。
【０１０８】
光ディスク媒体の記録膜に形成することができるマークの大きさの最小値（マーク単位とする）が一定であることを仮定すると、ＮＲＺ記録では最小符号長のデータ（符号系列の３ビット“１００”）を記録するのに３マーク単位が必要であるが、ＮＲＺＩ記録では１マーク単位で記録できる。従って、最小反転間隔がｄ＝２以上であるラン長制限符号を用いる場合、ＮＲＺ記録によって記録した場合に比較して、ＮＲＺＩ記録によって記録した場合の方がトラックの単位長さ当たりに記録することができるビット数を多くすることができる。すなわち、高密度化を図ることができる。
【０１０９】
本発明の実施の形態１では、変調方式として、（ｄ＝２，ｋ＝１０；ｍ＝８，ｎ＝１６；ｒ＝１）のパラメータを持つラン長制限符号を用い、マーク長記録を行うとする。すなわち、光ディスク媒体１０１（図１）のデータ領域ＤＡＴＡに記録されるデータ系列は、最短Ｔｍｉｎ＝３ビット長，最長Ｔｍａｘ＝１１ビット長の記録マークおよび記録スペースからなる。
【０１１０】
第１の同期領域ＰＡは、第１のフレーム領域２０１の先頭を識別するために設けられ、少なくともデータ領域ＤＡＴＡに記録されるデータ系列には出現しないパターンを記録することが望ましい。データ領域ＤＡＴＡには出現しないパターンを記録することにより、読み出し時に第１の同期領域ＰＡをデータ領域ＤＡＴＡと容易に区別することが可能になる。
【０１１１】
第２の同期領域ＶＦＯは、各データブロック１０３の読み出し時にデータ再生系の動作を安定に行うために設けられる。データ再生系とは、例えばデータブロック１０３から読み出した再生信号ＲＦ（＝Ｒａｄｉｏ  Ｆｒｅｑｕｅｎｃｙ）を２値化する手段や、２値化データからビット同期クロックを抽出するＰＬＬ手段等である。これらのデータ再生系の動作を安定に行うために、第２の同期領域ＶＦＯに記録されるパターンは、以下に述べる（条件１）〜（条件３）を満足していることが望ましい。
【０１１２】
（条件１）再生信号ＲＦの振幅およびＳＮ比（＝Ｓｉｇｎａｌ  ｔｏ  Ｎｏｉｓｅ  Ｒａｔｉｏ）が十分確保されている
（条件２）記録マーク／スペースの切り替え回数が多い
（条件３）パターンのＤＳＶ値（＝Ｄｉｇｉｔａｌ  Ｓｕｍ  Ｖａｌｕｅ）ができるだけ０に近い
上記（条件１）は、再生信号ＲＦから２値化データを適切に得るための条件である。再生信号ＲＦの振幅が小さ過ぎたりＳＮ比が悪いと、正しく２値化できなかったり再生系のノイズの影響で誤ったデータに２値化されたりする。
【０１１３】
上記（条件２）は、２値化データからビット同期クロックを高速かつ安定に得るための条件である。第２の同期領域でＰＬＬ（Ｐｈａｓｅ  Ｌｏｃｋｅｄ  Ｌｏｏｐ）手段によるクロック周波数／位相の引き込み動作が行われる場合、記録マーク／スペースの切り替え回数が多い方が周波数／位相比較のための情報を頻繁に得ることができるため、引き込みを高速にすることができる。記録マーク／スペースの切り替え頻度が少ないと、周波数／位相比較情報を得られず、引き込みが低速になったり不安定になったりする。
【０１１４】
上記（条件３）は、再生信号ＲＦを安定に２値化するための条件である。２値化方式として一般的に用いられているＤＣフィードバック方式（２値化後のデータのＤＣ成分により２値化スライスレベルのフィードバック制御を行う方式）を採用した場合、パターンのＤＳＶ値が大きく変動したり発散したりすると、スライスレベルが大きく変動したり再生信号ＲＦの中心から大きく外れてしまい、安定に２値化データが得られなくなる。パターンのＤＳＶ値が０に近ければ近いほど、ＤＣフィードバック方式にとって好適である。
【０１１５】
第３の同期領域ＳＹは、第２のフレーム領域２０２のそれぞれの先頭を識別するために設けられる。第１のフレーム領域２０１に対する第１の同期領域ＰＡと同様に、少なくともデータ領域ＤＡＴＡに記録されるデータ系列には出現しないパターンを記録することが望ましい。データ領域ＤＡＴＡには出現しないパターンを記録することにより、読み出し時に第３の同期領域ＳＹをデータ領域ＤＡＴＡと容易に区別することが可能になる。
【０１１６】
図３は、本発明の実施の形態１において特に好適な第１の同期領域ＰＡに記録されるパターン（ＰＡパターン）の一例を示す。図３に示されるパターンの特徴は、（Ｔｍａｘ＋３）チャンネルビット長である１４チャンネルビット（１４Ｔ）長さの記録マークもしくはスペースを含むことである。本発明の実施の形態１においては、前述したようにデータ領域ＤＡＴＡに記録されるデータ系列の最大マーク／スペース長Ｔｍａｘは、１１チャンネルビット（１１Ｔ）であり、第１の同期領域ＰＡに含まれる１４Ｔ長さの記録マークもしくはスペースとは、３チャンネルビット長さが異なる。例えば再生時のノイズの影響等により、１チャンネルビットのエッジシフトが発生し、上記第１の同期領域の１４Ｔマーク（もしくは１４Ｔスペース）が１３チャンネルビット長に短くなり、データ領域の１１Ｔマーク（もしくは１１Ｔスペース）が１２チャンネルビット長になったとしても、両者の間にはまだ１チャンネルビットの差がある。従って、１ビット程度のエッジシフトに対しては、データ領域ＤＡＴＡにおける１１Ｔを含むパターンを第１の同期領域ＰＡと誤検出しないための十分なエラーマージンがあるといえる。
【０１１７】
このように、ＰＡパターンは、後方に続くＶＦＯパターンおよびデータ領域ＤＡＴＡに記録されているいかなるパターンとも容易に区別することができる。再生装置および記録装置がこのＰＡパターンを検出することにより、前方のデータブロックのデータ領域ＤＡＴＡの終了を判別したり、後方に続く第２の同期領域ＶＦＯや、さらにその後方に続くデータブロックの先頭を予測することが可能になる。第１の同期領域に記録されるＰＡパターンが再生制御および記録制御のために使用される具体例は、実施の形態６および７において後述する。ＰＡパターンは、第１のフレーム領域（第２領域）の先頭を示す。
【０１１８】
図３に示される例では、１４Ｔマーク／スペースの直後に４Ｔスペース／マークが配置されている。データブロック１０３の読み出し時に、（１４Ｔ＋４Ｔ）を検出パターンとすることにより、１４Ｔのみを検出パターンとするよりも、誤検出の確率を低減することができる。また、１４Ｔ＋４Ｔだけでなく、（１５Ｔ＋３Ｔ）や（１３Ｔ＋５Ｔ）も検出パターンに加えることにより、誤検出の確率を極力低く保ちながらも、１４Ｔ後端エッジシフトに対して未検出を防ぐ効果が得られる。
【０１１９】
また、図３において、第１の同期領域ＰＡのパターンはＮＲＺの形式で表記すると｛１００１００１００１０００１０００００００００００００１０００１｝となる。このように、（１４Ｔ＋４Ｔ）の直前に変調符号と同様にｄ＝２，Ｋ＝１０のランレングス制限（ゼロラン、すなわち“０”の連続数の制限）を満たす系列（３Ｔ＋３Ｔ＋３Ｔ＋４Ｔ）を付加することにより、合計３２チャンネルビット（すなわち、ちょうど２バイト）のパターンが構成される。なお、１４Ｔの直前に配置する系列は、変調符号と同じランレングス制限を満たしていることが望ましいが、これに限定されるものではない。また、第１の同期領域ＰＡのパターンは１種類だけでなく、複数種類の中から選択するようにしてもよい。例えば、パターンの開始点におけるゼロラン（“０”の連続数）の異なる複数のパターンを用意し、そのパターンの直前のバイトの変調結果のゼロラン（最終ゼロラン）と接続したときに、変調符号と同じランレングス制限を満たすように、複数のパターンから１つのパターンを選択してもよい。また、例えばＤＳＶ値の異なるパターンを複数用意し、パターンの選択後のＤＳＶ値が最も小さくなるようにパターンを選択するようにしてもよい。ここで、パターンの選択後のＤＳＶ値は、そのパターンの直前の系列のＤＳＶ値にそのパターンのＤＳＶ値を加えた値である。
【０１２０】
図４は、本発明の実施の形態１において特に好適な第２の同期領域ＶＦＯに記録されるパターン（ＶＦＯパターン）の一例を示す。図４に示されるパターンの特徴は、４チャンネルビット長の記録マーク、スペースの繰り返しを含むことである。本例のパターンは、前述した（条件１）〜（条件３）を全て満足している。
【０１２１】
すなわち、４Ｔ単一のパターンにより、再生信号ＲＦの振幅は十分に確保されるといえる（条件１）。マーク／スペースの切り替え回数を最も大きくとれるパターンはＴｍｉｎ＝３チャンネルビット長の単一パターンであるが、高密度化された光ディスク媒体の記録再生特性では一般的にＴｍｉｎビットの再生信号ＲＦの振幅が長マーク／スペースに比較してかなり小さくなる。このため、安定に２値化を行うための再生信号ＲＦ振幅が得られない場合もある。従って、（条件１）と（条件２）とを両立するためには、４Ｔ単一のパターンが好適であるといえる。また、４Ｔ単一のパターンは、そのパターンのＤＳＶ＝０にすることができるので、（条件３）を満たすことはいうまでもない。
【０１２２】
なお、第２の同期領域ＶＦＯに記録するパターンは、４Ｔ単一のパターンに限定されるものでないことはいうまでもない。また、（条件１）から（条件３）を全て満足したパターンであることが望ましいが、媒体の記録再生特性に応じて、各条件に優先順位付けをしてもよい。例えば、Ｔｍｉｎビットである３Ｔ記録マーク・３Ｔスペースでも再生信号ＲＦの振幅が十分得られるような媒体（条件１）には、３Ｔ記録マーク・３Ｔスペースの繰り返しパターンを用いることにより、４Ｔ単一パターンに比べて記録マーク／スペースの切り替え回数（条件２）を増やすことができる。これにより、（条件２）がより優先され、データＰＬＬの引き込みをより高速にすることができる。また、例えば、４Ｔ単一パターンでも再生信号ＲＦの振幅が小さいような光ディスク媒体には、５Ｔ記録マーク・５Ｔスペースの繰り返しパターンを用いてもよい。この場合には、４Ｔ単一パターンに比べて記録マーク／スペースの切り替え回数が減少してしまうが、（条件２）よりも（条件１）が優先され、データの２値化の精度を高めることができる。
【０１２３】
図５は、Ｔｍｉｎ＝３の場合と、Ｔｍｉｎ＝２の場合とにおける第２の同期領域ＶＦＯに記録されるパターンの一例を示す。図５に示される例では、Ｔｍｉｎ＝３の場合には、４Ｔの繰り返しパターンを用い、Ｔｍｉｎ＝２の場合には３Ｔの繰り返しパターンを用いている。
【０１２４】
このように、（Ｔｍｉｎ＋１）チャンネルビット単一のパターンでは再生信号ＲＦの振幅は十分に得られ、（条件１）が満たされる。
【０１２５】
変調符号として８／１６変調方式を採用した場合には、Ｔｍｉｎ＝３、１バイト＝１６チャンネルビットとなるため、１バイト当たり４回の４Ｔ繰り返しを記録することになり、本実施の形態では、第２の同期領域ＶＦＯの長さは９１バイト長とするため、９１×４＝３６４回の４Ｔ繰り返しパターンが記録されることになる。
【０１２６】
ここで、８／１６変調とは、８ビットのバイナリデータを１６チャンネルビットの符号語に変換する変調方式の１つであり、その詳細については例えば特開平８−３１１００号公報に開示されている。８／１６変調方式では、変調後の符号系列の低周波成分が極力少なくなるように、８ビットの変調前データに対して、複数の変換テーブルを割り当て、変換テーブルを適宜切り替えて符号語への変換が行われる。変換テーブルの切替えは、最小反転間隔ｄ＝２、最大反転間隔ｋ＝１１を満たしつつ、符号系列のＤＳＶ（＝Ｄｉｇｉｔａｌ  Ｓｕｍ  Ｖａｌｕｅ）の絶対値が極力小さくなるように行われる。
【０１２７】
図６は、本発明の実施の形態１において特に好適な第３の同期領域ＳＹのパターン（ＳＹパターン）の一例を示す。図６に示されるパターンの特徴は（Ｔｍａｘ＋３）チャンネルビット長である１４チャンネルビット（１４Ｔ）長さの記録マークもしくはスペースを含むことである。前述したように、パターンに含まれる１４Ｔは、データ領域ＤＡＴＡに記録されるデータ系列の最大マーク／スペース長Ｔｍａｘ＝１１チャンネルビット（１１Ｔ）とは、３チャンネルビット長さが異なる。従って、１ビット程度のエッジシフトに対しては、データ領域ＤＡＴＡにおける１１Ｔ含有パターンを誤検出しないための十分なエラーマージンがあるといえる。これは、図３を参照して上述した第１の同期領域ＰＡに記録されるパターンの場合と同様である。このようにして、ＳＹパターンは、第２のフレーム領域２０２（フレーム領域）の先頭を識別する（示す）。
【０１２８】
本発明の実施の形態１における光ディスク媒体１０１から情報トラック１０２の絶対位置（以下番地と呼ぶ）を認識する方法について言及しておく。記録可能な光ディスク媒体の所定の番地にデータの記録を行うには、記録装置の側でデータ記録前に所定の番地情報を読み出し、記録すべき位置の検索を行う必要がある。データの記録がなされていない領域においても番地情報を得るには、予め番地情報をプリフォーマットしておく必要がある。番地情報のプリフォーマット方法としては、記録面の凹凸を利用したプリピットや、情報トラック１０２を形成するためのグルーブ溝を蛇行させ、蛇行の仕方により番地情報を入れる方法等がある。
【０１２９】
本発明は、光ディスク媒体１０１の番地情報を得る方法としては、任意の方法を採用し得る。明細書の中で特に言及しない限り、各データブロックには固有の番地情報が付与されていて、所定の情報トラックをアクセスすることで、データブロックの番地情報が得られるものとする。
【０１３０】
以上に説明したようなデータフォーマットを有する光ディスク媒体１０１にデータの記録を行う方法を、再度、図２を参照して説明する。光ディスク媒体１０１（図１）には、データブロック１０３を最小の単位として、データが記録される。その際に、一連のデータ記録の開始および終了は、第１のフレーム領域２０１における第２の同期領域ＶＦＯにおいて行われる。ここで、データ記録の追記個所である第１のフレーム領域２０１をリンキングフレーム領域と呼ぶ。
【０１３１】
一連のデータ記録の終了位置から別のデータ（追加データ）を追記していく場合、データ記録の開始点をリンキングフレーム領域である第１のフレーム領域２０１のうち第２の同期領域ＶＦＯのＳバイト目（Ｓは第２の同期領域ＶＦＯのバイト長より小さい有理数）とし、データ記録の終了点を第２の同期領域ＶＦＯのＥバイト目（Ｅは第２の同期領域ＶＦＯのバイト長より小さい有理数）としたとき、常にＳ≦Ｅの関係を満足するようにデータの記録開始／終了位置が決定される。これによりデータ記録の追記個所においても、パターン（ＶＦＯパターン）が記録されない領域が残ることがない。このようなＶＦＯパターンが記録されない領域が残ると、再生系の引きこみ動作が正常に行われなくなるおそれがある。
【０１３２】
ここで、ＳとＥの差はドライブ装置の種々の変動誤差要因を勘案して決定するとよい。理想的な変動誤差０の状態では、（Ｓ−Ｅ）のバイト数が、前のデータの記録終了時と、次のデータの記録開始時とにともに記録される。すなわち、この領域では上書き記録がなされる。従って、（Ｓ−Ｅ）のバイト数を変動誤差要因の上限もしくはそれ以上に設定しておくことにより、変動誤差が最も大きくなった状態においても、ＶＦＯパターンが記録されない領域を残すことなくデータを追記することが可能になる。
【０１３３】
なお、光ディスク媒体１０１が相変化記録材料等を用いた書き換え型の光ディスク媒体である場合、データ追記を同一の場所で多数回繰り返すと、記録膜の劣化の原因になることがある。記録膜の劣化を最小限にとどめ、繰り返し記録の可能回数を増加させるため、データの記録の度に、記録の開始位置もしくは終了位置を所定の範囲内でランダムに変化させてもよい。その場合、第１のフレーム領域２０１の長さは、必ずしも固定バイト長にはならない。記録の開始位置もしくは終了位置を変化させた分だけＶＦＯ領域の長さが増減するからである。記録の開始位置もしくは終了位置の変化量は、第２の同期領域ＶＦＯの長さや再生系の引込み動作に必要な時間、記録膜劣化の特性等を勘案しながら決定するとよい。
【０１３４】
本発明では、データの追記が開始されるフレーム領域、すなわちリンキングフレーム領域は、データ領域ＤＡＴＡのない第１のフレーム領域２０１である。これにより、データ記録の追記個所においても、データが不連続に記録されるということがない。従って、追記個所においてデータの読み出しが行えなくなって１フレーム領域に記録されたデータが失われるおそれがないため、データ部分でリンキングを行う（追記の個所がデータ部分になっている）従来の光ディスク媒体に比較して、追記個所における読み出しエラーマージンを格段に向上することができる。その結果、データの記録の開始および終了点においてもデータの記録再生を安定に行うことが可能になる。
【０１３５】
図２から分かるように、再生装置が光ディスク媒体１０１へデータを記録する際には、始めに、ＶＦＯパターンのうち、図２に示される記録開始位置ＶＦＯ部分２１０２（データを安定に再生するための第１の同期符号系列）が情報トラック１０２上の第１のフレーム領域２０１（第３領域）に記録され、その後、少なくとも１つの第２のフレームが記録される。従って、少なくとも１つの第２のフレーム（全体として第１領域データ）が記録される領域（第１領域）は、この第１のフレーム領域２０１（第３領域）の後方に続く。この第１のフレーム領域２０１（第３領域）は、記録開始位置ＶＦＯ部分２１０２（第１の同期符号系列）が記録される領域を含む。
【０１３６】
少なくとも１つの第２のフレームのそれぞれは、第２のフレームの先頭を識別するＳＹパターン（第２の同期符号系列）と、記録すべきデータの少なくとも一部（データ領域ＤＡＴＡに記録されるデータ）とを含む。光ディスク媒体１０１に記録すべきデータが複数のデータブロック１０３にまたがる場合には、そのデータブロックの境界には第１のフレーム領域２０１が設けられ、ＰＡパターンとＶＦＯパターンとが記録される。光ディスク媒体１０１へのデータの記録の終了時には、少なくとも１つの第２のフレームを記録した後に、ＰＡパターン（第３の同期符号系列）が記録され、ＶＦＯパターンのうち、図２に示される記録終了位置ＶＦＯ部分２１０１（データを安定に再生するための第４の同期符号系列）が記録される。ＰＡパターンと、記録終了位置ＶＦＯ部分２１０１とは、記録を開始した際に記録開始位置ＶＦＯ部分２１０２を記録した第１のフレーム領域２０１（第３領域）とは別の、第１領域の後方に続いて設けられた第１のフレーム領域２０１（第２領域）に記録される。すなわち、その第１のフレーム領域２０１（第２領域）は、ＰＡパターン（第３の同期符号系列）と記録終了位置ＶＦＯ部分２１０１（第４の同期符号系列）とが記録される領域を含む。
【０１３７】
なお、記録の開始位置をランダムに変化させる場合には、ＶＦＯパターンのうち、図２に示される記録開始位置ＶＦＯ部分２１０２（データを安定に再生するための第１の同期符号系列）の長さがランダムに設定され得る。また、記録の終了位置をランダムに変化させる場合には、ＶＦＯパターンのうち、図２に示される記録終了位置ＶＦＯ部分２１０１（データを安定に再生するための第４の同期符号系列）の長さがランダムに設定され得る。なお、記録の開始位置または終了位置をランダムに変化させる場合に、記録終了位置ＶＦＯ部分２１０１または記録開始位置ＶＦＯ部分２１０２の長さをランダムに変えることは必須ではない。上述したように、データを記録すべき位置は、データが記録済みであるか未記録であるかに関わらず、プリフォーマットされている番地情報によって得ることができる。従って、その番地情報を再生することによって得られる光ディスク媒体１０１上の絶対位置に対して、記録の開始／終了の位置をランダムに変更するようにしてもよい。この場合に、記録終了位置ＶＦＯ部分２１０１の末尾は、記録開始位置ＶＦＯ部分２１０２の先頭よりも後方に位置するようにするとよい。
【０１３８】
このように、常にＳ≦Ｅの関係を満足するようにデータの記録開始／終了位置が決定されるので、既に光ディスク媒体に記録された記録終了位置ＶＦＯ部分２１０１（第４の同期符号系列）の少なくとも一部は、追加データを記録する際に記録される記録開始位置ＶＦＯ部分２１０２（第１の追加同期符号系列）によって上書きされる。
【０１３９】
このように、本発明の実施の形態１によれば、記録再生の単位であるデータブロックは、先頭の第１のフレーム領域と、引き続く複数の第２のフレーム領域とから構成される。第１のフレーム領域には、第１の同期領域（ＰＡ）と第２の同期領域（ＶＦＯ）が配置され、第２のフレーム領域には、第３の同期領域（ＳＹ）とデータを記録するためのデータ領域（ＤＡＴＡ）が配置される。これにより、データの記録開始／記録終了（リンキング）は、第１のフレーム領域（リンキングフレーム領域）の中の第２の同期領域（ＶＦＯ）において行うことが可能になる。データの追記記録時の種々の変動要素は、第２の同期領域の範囲内で吸収することが可能となり、常に安定なデータの記録再生動作を実現することが可能となる。オーバーヘッドは、１データブロック当たり１フレーム強と非常に少なく保たれる。
【０１４０】
本発明によれば、データ記録開始／終了点において、１チャンネルビット未満といった精密な位置決めを行う必要がない。依って、容易な構成でドライブ装置を設計することができ、装置のコストを低減できる。
【０１４１】
図７（ａ）および（ｂ）は、それぞれ、本発明の実施の形態１における通常フレーム領域（すなわち、第２のフレーム領域）およびリンキングフレーム領域（すなわち、第１のフレーム領域）の開始位置の記録パターンの一例を示す。図７（ａ）および（ｂ）に示される例は、データ領域の変調方式に（ｄ＝１，ｋ＝９，ｎ／ｍ＝１．５）のパラメータを持つラン長制限符号を用いた場合の例である。
【０１４２】
図７（ａ）において、通常フレーム領域の開始位置とは、本発明の実施の形態１のデータフォーマットに従う第２のフレーム領域２０２（図２）の先頭をいう。第２のフレーム領域２０２の先頭には、第３の同期領域ＳＹが２バイト（つまり２４チャンネルビット）の長さで配置され、３バイト目よりデータ領域ＤＡＴＡとなる。第３の同期領域ＳＹに記録されるＳＹパターンのうち、下線を引いた部分パターン「１００００００００００００１００１」は（ｄ＝１，ｋ＝９）のパラメータを持つラン長制限符号における（Ｔｍａｘ＋３）・（Ｔｍｉｎ＋１）のパターンに相当する。ＳＹパターンの初め（図７（ａ）における左側）の「ＹＹＹＹＹＹ」は、（ｄ＝１，ｋ＝９）のラン長制限を満たし、直前のデータ領域ＤＡＴＡとの繋がりを考慮して選択するとよい。
【０１４３】
また図７（ｂ）において、リンキングフレーム領域の開始位置とは、本発明の実施の形態１のデータフォーマットにおける第１のフレーム領域２０１の先頭
いう。第１のフレーム領域２０１の先頭には、第１の同期領域ＰＡが２バイト（つまり２４チャンネルビット）の長さで配置され、３バイト目より第２の同期領域ＶＦＯとなる。第１の同期領域ＰＡおよび第２の同期領域ＶＦＯにまたがって下線を引いた部分パターン「１００００００００００００１０００００１」は（ｄ＝１，ｋ＝９）のパラメータを持つラン長制限符号における（Ｔｍａｘ＋３）・（Ｔｍｉｎ＋４）のパターンに相当する。また、リンキングフレーム領域のユニークパターン（（Ｔｍａｘ＋３）・（Ｔｍｉｎ＋４）のパターン）と、通常フレーム領域のユニークパターン（（Ｔｍａｘ＋３）・（Ｔｍｉｎ＋１）のパターン）との関係は、各フレーム領域の開始点より（Ｔｍａｘ＋３）の開始位置までの長さが同一（８チャンネルビット目）であり、いうまでもなく（Ｔｍａｘ＋３）の終端の位置も同一である。
【０１４４】
図７（ｂ）において、初めの「ＹＹＹＹＹＹ」は、（ｄ＝１，ｋ＝９）のラン長制限および、直前のデータ領域ＤＡＴＡとの繋がりを考慮して決定すればよいが、図７（ａ）に示される、ＳＹパターンにおける「ＹＹＹＹＹＹ」の部分と全く同一のパターンであってもよい。このようにしても、ＳＹパターンにおける（Ｔｍａｘ＋３）の直後のパターンが（Ｔｍｉｎ＋１）であるのに対して、ＰＡパターンの（Ｔｍａｘ＋３）の直後のパターンが（Ｔｍｉｎ＋４）であるため、両者の符号間距離を３にすることができる。
【０１４５】
このため、例えばＳＹパターンとＰＡパターンの長さを２バイトとし、これに（Ｔｍａｘ＋３）を含めるとパターンの種類をあまりたくさん作れない場合にも、（Ｔｍａｘ＋３）の直後のパターンの長さによって、区別することのできるパターンの種類を増やすことができ、使用可能なパターンの自由度が増える。
【０１４６】
パターンの自由度を増やせると、符号間距離２以上を保ちながら、ＳＹパターンまたはＰＡパターンとして使用可能なパターンの種類を増やしたり、逆に使用可能なパターンの種類はそのままにして符号間距離を３以上にすることも可能になってくる。
【０１４７】
本実施の形態において、第１のフレーム領域２０１および第２のフレーム領域２０２のバイト長、および各データブロック１０３における第２のフレーム領域２０２の個数について言及しておく。
【０１４８】
第１のフレーム領域２０１のバイト長さと第２のフレーム領域２０２のバイト長さは、略一致させるか、あるいは一方が他方の略整数倍になっていることが望ましい。第１のフレーム領域２０１のバイト長さと第２のフレーム領域２０２のバイト長さとの一方を他方の略整数倍にすることにより、フレーム領域記録時における両フレーム領域のデータ発生動作、再生時の両フレーム領域のフレーム補間動作等において、記録装置／再生装置の回路（タイミング発生回路等）を共用することができ、記録装置／再生装置の回路規模が小さくなるので、コスト低減の効果が得られる。本実施の形態においては、第１のフレーム領域２０１、第２のフレーム領域２０２ともに、そのバイト長さを９３バイト長とした。
【０１４９】
第１のフレーム領域２０１を９３バイト長とし、第１の同期領域ＰＡに図３で示したパターンを配置し、第２の同期領域ＶＦＯに図４に示したパターンを配置した場合、第１の同期領域ＰＡは２バイト長になり、第２の同期領域ＶＦＯは９１バイト長になる。この場合、第２の同期領域ＶＦＯには、４Ｔ記録マーク・スペースを１８２回繰り返したパターンが記録されることとなる。
【０１５０】
本発明の実施の形態１において、データブロック１０３毎の第２のフレーム領域２０２の個数は、２０８個とした。この個数が第１のフレーム領域２０１の挿入頻度およびデータブロック１０３のデータサイズを決定する。この個数が大きい場合には、データ領域ＤＡＴＡを有しない第１のフレーム領域２０１によるオーバーヘッド（フォーマットの冗長分）が小さくなるので、光ディスク媒体１０１の記憶容量を大きくできるという利点が得られるが、データブロック１０３のデータサイズが大きくなるので、小さいサイズのユーザデータを扱う場合には不利である。
【０１５１】
図２に示すように、ＥＣＣブロックは、連続する４つのデータブロック１０３から構成されている。この場合、１ＥＣＣブロック当たりの第２のフレーム領域２０２の個数は、２０８×４＝８３２個となる。なお、ＥＣＣブロックとは誤り訂正符号の符号化単位と定義する。例えば、誤り訂正符号として公知のリードソロモン符号を２次元的に用いて公知の積符号を構成する場合、その構成単位をいう。第３の同期領域ＳＹのサイズを２バイトとすると、１ＥＣＣブロック当たりの全データ領域ＤＡＴＡのサイズの合計は、９１×８３２＝７５７１２バイトとなる。本発明の実施の形態１においては、このうちユーザデータを６５５３６バイトとし、残りをエラー訂正符号、ブロック識別ＩＤ等の冗長データに割り当てている。
【０１５２】
このように、エラー訂正符号を構成する１ＥＣＣブロックを、一連のデータ記録の最小単位であるデータブロック整数個から構成することにより、ドライブ装置（記録装置または再生装置）において記録データの管理が容易になる利点がある。なお、本発明の実施の形態１においては、１ＥＣＣブロック＝４データブロックとしたが、これに限定されない。１ＥＣＣブロックを構成するデータブロックの個数を変えても、同様の効果が得られる。例えば、１ＥＣＣブロック＝１データブロックとしてもよい。しかしながら、本発明の構成では、毎データブロックの先頭フレーム領域は、データ領域ＤＡＴＡを有しない第１のフレーム領域２０１（すなわち冗長データ）であるので、１ＥＣＣブロックを構成するデータブロックの個数には自ずと上限がある。１ＥＣＣブロックを構成するデータブロックの個数は、ドライブ装置によるエラー訂正の能力とオーバーヘッドとを考慮して、光ディスク媒体１０１の用途、ドライブ装置の性能等に応じた値に決定するのがよい。
【０１５３】
なお、第３の同期領域ＳＹに記録されるパターン（ＳＹパターン）は、どの第２のフレーム領域２０２についても同一のパターンである必要はない。例えば各データブロック１０３における第１のフレーム領域２０１に続く２番目のフレーム領域に相当する第２のフレーム領域２０２に対しては、他の第２のフレーム領域２０２とは異なった特別のパターンを配置してもよい。これにより、上記特別なパターンをドライブ装置にて識別することができるので、各データブロック１０３のデータ領域ＤＡＴＡの最初がより確実に検出可能になり、ドライブ装置の信頼性を向上させることができる。以下の実施の形態２では、複数の第２のフレーム領域２０２の先頭に記録されるＳＹパターンが、複数の第２のフレーム領域２０２について異なる例を説明する。
【０１５４】
なお、本実施の形態において、第１のフレーム領域（第１領域及び第３領域）には第１の同期領域ＰＡと第２の同期領域ＶＦＯが含まれる例について説明したが、他の同期符号系列やデータ系列が含まれていても良い。
【０１５５】
（実施の形態２）
図８は、本発明の実施の形態２における記録可能な光ディスク媒体３１０１（記録媒体）の上面図を示す。図８に示されるように、光ディスク媒体３１０１の記録面には情報トラック３１０２（記録領域）がスパイラル状（螺旋状）に形成されており、情報トラック３１０２はさらにデータブロック３０１に分割されている。すなわち、光ディスク媒体１０１の記録面において、データブロック３０１が円周方向に連続して配置され、情報トラック３１０２を形成している。
【０１５６】
図９は、本発明の実施の形態２の光ディスク媒体のデータフォーマットの例を示す。図９において、図２に示される構成要素と同一の構成要素には同一の参照番号を付し、その説明を省略する。図９において、右側に示される領域は、左側に示される領域よりも後方の領域である。
図９に示すように、データブロック３０１は、第１のフレーム領域２０１と、８個のセクタ３１０３とから構成されている。４個のデータブロック３０１が、１つのＥＣＣブロック３０２を構成している。従って、１ＥＣＣブロックは３２個のセクタを含む。
【０１５７】
データブロック３０１に含まれる複数の第２のフレーム領域は、それぞれが２６個の第２のフレーム領域を含む複数のセクタ３１０３に分割されている。
【０１５８】
セクタ３１０３（第４領域）のそれぞれは、２６個のフレーム領域（第２のフレーム領域）から構成されている。フレーム領域のそれぞれは、９３バイトの長さを有する。セクタ３１０３の先頭に位置するフレーム領域を参照符号Ｆ０により示し、セクタ３１０３の先頭以外の残りの２５個のフレーム領域を、参照符号Ｆ１、Ｆ２、・・・Ｆ２４、Ｆ２５により示す。
【０１５９】
フレーム領域Ｆ０には、その先頭に同期領域ＳＹ０（第３の同期領域）が配置され、続いてデータ領域ＤＡＴＡが配置される。フレーム領域Ｆ１からＦ２５のそれぞれの先頭には、同期領域ＳＹ（第３の同期領域）が配置され、続いてデータ領域ＤＡＴＡが配置される。同期領域ＳＹ０および同期領域ＳＹの長さは、ともに２バイトとする。従って、フレーム領域Ｆ０および各フレーム領域Ｆ１からＦ２５にあるデータ領域ＤＡＴＡの長さは、全て９１バイトである。
【０１６０】
従って、各セクタ３１０３におけるデータ領域ＤＡＴＡの総バイト数は、９１×２６＝２３６６バイトとなる。１セクタに記録されるユーザデータは２０４８バイトとし、これにデータの記録位置を識別するためのアドレス情報や誤り訂正符号・誤り検出符号のパリティ等の冗長データ分３１８バイトが加わって、合計２３６６バイトを構成しているものとする。
【０１６１】
データ領域ＤＡＴＡに記録されるデータ系列は、バイナリデータそのものでなく、光ディスク媒体の記録再生信号特性に合致した変調方式で変換されて記録される。本発明の実施の形態２では、変調方式として８／１６変調方式を用いて、ＮＲＺＩ記録を行うとする。すなわち、各データ領域ＤＡＴＡに記録されるデータ系列は９１×１６＝１４５６チャンネルビット長さであり、最短Ｔｍｉｎ＝３ビット長，最長Ｔｍａｘ＝１１ビット長の記録マークおよび記録スペースからなる。
【０１６２】
同期領域ＳＹ０は、フレーム領域Ｆ０の先頭を識別するために設けられ、少なくともデータ領域ＤＡＴＡに記録されるデータ系列には出現しないパターンを記録することが望ましい。データ領域ＤＡＴＡには出現しないパターンを記録することにより、読み出し時に同期領域ＳＹ０をデータ領域ＤＡＴＡと容易に区別することが可能となる。
【０１６３】
同期領域ＳＹは、各第２のフレーム領域Ｆ１からＦ２５までの先頭を識別するために設ける。同期領域ＳＹのそれぞれには、フレーム領域Ｆ０における同期領域ＳＹ０と同様に、少なくともデータ領域ＤＡＴＡに記録されるデータ系列には出現しないパターンを記録することが望ましい。データ領域ＤＡＴＡには出現しないパターンを記録することにより、読み出し時に同期符号系列ＳＹをデータ領域ＤＡＴＡと容易に区別することが可能となる。以下、同期領域ＳＹまたは同期領域ＳＹ０に記録されるパターンを同期符号系列とも呼ぶ。
【０１６４】
図１０は、セクタ３１０３（図９）に含まれる２６個のフレーム領域の先頭に配置される同期符号系列の例を示す。同期符号系列は２種類（ＳＹ０パターンとＳＹパターン）であり、２番目のフレーム領域以降２６番目までのフレーム領域には、全てＳＹパターンが配置されている。
【０１６５】
図１１は、本発明の実施の形態２において同期符号系列として好適に用いられるパターンの一例を示す。図１１に示される例は、（Ｔｍａｘ＋３）チャンネルビット長である１４チャンネルビット（１４Ｔ）長さの記録マークもしくはスペースを含むパターンである。本発明の実施の形態２においては、前述したようにデータ領域ＤＡＴＡに記録されるデータ系列の最大マーク／スペース長Ｔｍａｘは、１１チャンネルビット（１１Ｔ）であり、同期符号系列に含まれる１４Ｔとは３チャンネルビット長さが異なる。例えば再生時のノイズの影響等により１チャンネルビットのエッジシフトが発生し、上記同期符号系列における１４Ｔマークもしくは１４Ｔスペースが１３チャンネルビット長に短くなり、データ領域の１１Ｔマークもしくは１１Ｔスペースが１２チャンネルビット長になったとしても、両者の間にはまだ１チャンネルビットの差がある。従って、１ビット程度のエッジシフトに対しては、データ領域ＤＡＴＡにおける１１Ｔ含有パターンをＳＹ０パターンもしくはＳＹパターンと誤検出しないための十分なエラーマージンがあるといえる。
【０１６６】
また、ＳＹ０パターンとＳＹパターンを識別するためには、両者の符号間距離を２以上離すとよい。ここで符号間距離とは２つのデータ系列を比較したとき、データ系列中の異なるビットの個数と定義し、ＮＲＺ記録のときはデータ系列をＮＲＺ表記した場合、ＮＲＺＩ記録のときはデータ系列をＮＲＺＩ表記した場合における符号間距離とする。ＳＹ０パターンとＳＹパターンとの間の符号間距離が２以上離れていれば、再生時のノイズの影響等により一方の読み出し系列が１ビットシフト誤りを起こしても、もう一方と誤識別することがない。
【０１６７】
なお、符号間距離を３以上とすればさらに識別能力を向上することができる。例えば、符号間距離２の場合は、ＳＹ０パターンとＳＹパターンとが、互いの距離が近くなる方向に１ビットシフトした場合には、両者は同一パターンとなってしまい識別することは不可能となる。ところが、符号間距離を３以上とすると、まだ両者の間には１ビット以上の差があるため、識別が可能である。従って、１ビットの誤りを許容しながら常にＳＹ０パターンとＳＹパターンとを識別することが可能になる。なお、ＳＹパターンは、ＳＹ０パターンとの符号間距離が２以上である限り、複数種類のパターンとしてもよい。
【０１６８】
図１２は、本発明の実施の形態２におけるＳＹ０パターンおよびＳＹパターンの具体的な一例を示す。ＳＹ０パターンとＳＹパターンとはともに同一長さ、すなわち２バイト＝３２チャンネルビット長とし、しかも両者に共通のユニークパターンとして（１４Ｔ＋４Ｔ）を含む。両者のビット数を等しくし、しかも両者に共通のユニークパターンを配置したことによる利点として、これらを検出する装置において、両者の検出に共通のパターン検出系を用いることで装置の簡略化を図れることが挙げられる。
【０１６９】
また、上記ユニークパターンは、８／１６変調方式における（Ｔｍａｘ＋３）・（Ｔｍｉｎ＋１）のパターンに相当し、（Ｔｍａｘ＋３）ビットの記録マーク／スペースの直後に（Ｔｍｉｎ＋１）のスペース／記録マークを配置することにより、パターン自体の検出能力を向上しようとするものである。つまり、データブロック３１０３の読み出し時に（１４Ｔ＋４Ｔ）を検出パターンとすることにより、１４Ｔのみを検出パターンとするよりも、誤検出の確率を低減することができる。また、１４Ｔ＋４Ｔだけでなく、例えば（１５Ｔ＋３Ｔ）や（１３Ｔ＋５Ｔ）も検出パターンに加えることにより、誤検出の確率を極力低く保ちながらも、１４Ｔ後端エッジシフトに対して未検出を防ぐ効果が得られる。
【０１７０】
また、図１２には、ＳＹ０パターンとして使用可能なパターンと、ＳＹパターンとして使用可能なパターンとが、それぞれＳｔａｔｅ１およびＳｔａｔｅ２用として２種類、Ｓｔａｔｅ３およびＳｔａｔｅ４用として２種類の合計４種類ずつ示されている。ここで、Ｓｔａｔｅ１からＳｔａｔｅ４は、８／１６変調方式の複数の変換テーブルのうちどれを選択するかのインデックス情報を示す。Ｓｔａｔｅ１およびＳｔａｔｅ２用の各パターンは、ＭＳＢ側（図１２における左側）のゼロランが、２もしくは３となっていることが特徴である。一方、Ｓｔａｔｅ３およびＳｔａｔｅ４用の各パターンは、ＭＳＢ側のゼロランが０、すなわちＭＳＢがビット“１”から始まっていることが特徴である。
【０１７１】
ＳＹ０パターンについて、４種類のパターンの選択方法について説明する。まず、Ｓｔａｔｅの選択については、同期領域ＳＹ０の直前の変調結果、すなわちフレーム領域Ｆ２５のデータ領域ＤＡＴＡにおける最後のデータバイトを変調したときの次のＳｔａｔｅ（ネクストＳｔａｔｅ）が１もしくは２の場合には、図１２の上部に示されているＳｔａｔｅ１およびＳｔｅｔｅ２用のパターンを選択し、そうでない場合は上部に示されているＳｔａｔｅ３およびＳｔａｔｅ４用のパターンを選択する。これにより、フレーム領域Ｆ２５の最終バイトとＳＹ０パターンとの接続点において、ゼロランが所定の範囲（すなわち２から１０までの範囲）に収まるようにすることができる。ＳＹパターンについても、上記と同様の選択方法にて選択される。
【０１７２】
図１２の左側に示される半分である第１の選択符号系列と、右側に示される第２の選択符号系列との選択方法について説明する。第１の選択符号系列は、ＣＤＳ（＝Ｃｏｄｅｗｏｒｄ  Ｄｉｇｉｔａｌ  Ｓｕｍ）が正の値をとり、第２の選択符号系列はＣＤＳが負の値をとる。ここで、ＣＤＳは符号系列のＭＳＢを１としてＮＲＺＩ変換したとき、ビット“１”を＋１、ビット“０”を−１として、符号系列（パターン）全体で積算した値である。すなわち、直前のＤＳＶ（＝Ｄｉｇｉｔａｌ  Ｓｕｍ  Ｖａｌｕｅ）値に符号系列のＣＤＳを加算（もしくは減算）した値が符号系列選択後のＤＳＶ値となる。図１２に示される第１の選択符号系列と第２の選択符号系列とにおけるＣＤＳの符号が互いに逆であるので、どちらかを一方選択することにより常にＤＳＶの値を０に近づけることが可能になる。その結果、効果的なＤＳＶ値の制御を行うことが可能となる。
【０１７３】
図１２に示されるパターンの最も特筆すべき特徴について、以下に述べる。それは、ＳＹ０パターンとして使用可能な４種類のパターンと、ＳＹパターンとして使用可能な４種類のパターンとの間の符号間距離は、どれも（ＮＲＺＩ表記で）２以上になっていることである。
【０１７４】
例えば、ＳＹ０パターンとして使用可能なパターンのうち下線を引いたパターン「１００１０００１０００００１０００００００００００００１０００１」と、ＳＹパターンとして使用可能な４種類のパターンとの符号間距離について検証する。まず、ＳＹパターンとして使用可能なパターン「０００１０００００００００１０００００００００００００１０００１」とのＮＲＺＩ表記での符号間距離は７である。この符号間距離は、前者をビット“１”からＮＲＺＩ変換したパターン「１１１００００１１１１１１０・・・・」と、後者をビット“０”からＮＲＺＩ変換したパターン「０００１１１１１１１１１１０・・・」とを比較することにより求められる。
【０１７５】
また同様にして、パターン「００１０００００００１００１０００００００００００００１０００１」との符号間距離は４、パターン「１０００１００００１０００１０００００００００００００１０００１」との符号間距離は３、パターン「１０００１００００００００１０００００００００００００１０００１」との符号間距離は６となっており、いずれも２以上の符号間距離を満足していることが分かる。このように、ＳＹ０パターンとＳＹパターンとの符号距離を全て２以上離すことにより、ビットシフト等のエラーが起きても両者を誤識別する確率を低くすることができる。また、セクタ３１０３の先頭のみをフレーム領域Ｆ０として他のフレーム領域Ｆ１からＦ２５と区別したことにより、セクタの頭出しを容易に行うことが可能となる。フレーム領域Ｆ１からＦ２５のそれぞれの先頭の同期領域ＳＹに記録されるパターンは、（Ｔｍａｘ＋３）ビットのパターンと（Ｔｍｉｎ＋１）のパターンを含み、ＳＹ０パターンとの符号間距離が２以上を満たす複数種類のパターンであってもよい。
【０１７６】
図１３は、同期符号系列（パターン）の種類毎の符号間距離を模式的に示す。図１３は、同期符号系列ＳＹ０（ＳＹ０パターン）と同期符号系列ＳＹ（ＳＹパターン）との関係を示している。これらのパターンの間の符号間距離が１しかない場合には、ＳＹ０パターンを読み出す際に１ビットエラーが発生すると、ＳＹパターンと同一のパターンとなってしまう。従って、１ビットエラーが発生した場合には、完全一致判定（完全にパターンが一致した場合に両者が一致したとみなす判定方法）によっても、パターンの種類の判定が不可能となる。
【０１７７】
次に、符号間距離が２である場合、どちらか一方に１ビットエラーが発生しても、もう一方と同一のパターンになることはない。また、両方に１ビットエラーが発生したとしても、完全一致判定で判定している限りは、パターンの種類の判定が不可能になることはない。従って、完全一致判定により同期符号系列の種類の判定が可能である。
【０１７８】
符号間距離が３である場合、両方に１ビットエラーが発生しても、まだ両者の間に符号間距離が１ある。従って、１ビットエラーを許容する判定方法を用いた場合でも、同期符号系列の種類判定が可能となる。また、完全一致判定を用いた場合には、２ビットエラーまで許容することができる。
【０１７９】
以上より、同期符号系列の種類毎の符号間距離を２とした場合に比べ、符号間距離３以上の方が、より信頼性が高いといえる。
【０１８０】
図１４は、フレーム領域Ｆ０の内部構造の一例を示す。図９に示される例では、同期領域ＳＹ０の直後から単純にデータ領域ＤＡＴＡを配置していたが、図１４に示される例では、同期領域ＳＹ０の直後にデータ位置識別領域ＤａｔａＩＤおよびそれに対する誤り検出符号領域Ｐａｒｉｔｙが設けられている。これにより、同期領域ＳＹ０に記録されたＳＹ０パターンを検出した後、すぐさまデータ位置識別領域ＤａｔａＩＤの内容を読み取ることが可能となる。データ位置識別領域ＤａｔａＩＤの内容は、例えば、セクタ番号であり得る。この場合、データ位置識別領域ＤａｔａＩＤを読み取ることにより、セクタの位置を一意に判別することができる。従って、ＳＹ０パターンを検出するだけでセクタ位置の識別ができるため、再生装置においてセクタを高速かつ容易に検索することが可能となる。
【０１８１】
図１５は、本発明の実施の形態２におけるＳＹ０パターン、ＳＹパターン、およびＰＡパターンの具体的な一例を示す。ＳＹ０パターンとＳＹパターンとは、ともに、図１２を参照して上述した例と全く同一であるので、その詳細な説明は省略する。
【０１８２】
ＰＡパターンの決定方法は、図１２を参照して上述したＳＹ０パターンとＳＹパターンとの決定方法と同様である。ＰＡパターンの長さは２バイト＝３２チャンネルビット長であり、８／１６変調方式と整合をとるためにＳｔａｔｅ制御（Ｓｔａｔｅ１および２用のパターンと、Ｓｔａｔｅ３および４用のパターンとの選択）が可能であり、ＤＳＶ制御（ＣＤＳの符号が正／負逆となるパターンの選択）が可能である。ＤＳＶ制御により、変調後のデータ系列のＤＣ成分が抑圧される。
【０１８３】
また、ＳＹ０パターン、ＳＹパターン、およびＰＡパターンのすべては、共通のユニークパターンとして、（１４Ｔ＋４Ｔ）を含む。ＳＹ０パターン、ＳＹパターン、ＰＡパターンのビット数を等しくし、しかもすべてのパターンが共通のユニークパターンを含むことにより、これらのパターンを検出する再生装置において、共通のパターン検出系を用いることができるので有利である。これにより、再生装置の簡略化を図ることができる。
【０１８４】
また、図１５に示されるパターンの最も特筆すべき特徴は、ＰＡパターンとして使用可能な４種類のパターンと、ＳＹ０パターンとして使用可能な４種類のパターンと、ＳＹパターンとして使用可能な４種類のパターンとの間の符号間距離は、いずれも（ＮＲＺＩ表記で）２以上になっていることである。
【０１８５】
例えば、ＰＡパターンとして使用可能なパターンのうち、下線を引いたパターン「００００００１００１０００１０００００００００００００１０００１」と、ＳＹ０パターンとして使用可能な４種類のパターンおよびＳＹパターンとして使用可能な４種類のパターンとの符号間距離を検証する。まず、図１５において下線を引いたパターンと、ＳＹ０パターン「００１００１００００１００１０００００００００００００１０００１」とのＮＲＺＩ表記での符号間距離は４である。この符号間距離は、前者をビット“１”からＮＲＺＩ変換したパターン「１１１１１１０００１１１１０・・・・」と、後者をビット“０”からＮＲＺＩ変換したパターン「００１１１０００００１１１０・・・」とを比較することにより求められる。
【０１８６】
同様にして、パターン「０００１００００１００００１０００００００００００００１０００１」との符号間距離は４である。パターン「１００１０００１０００００１０００００００００００００１０００１」との符号間距離は５である。パターン「１００００００００１０００１０００００００００００００１０００１」との符号間距離は６である。このように、いずれの符号間距離も、２以上である。また、図１５において下線を引いたパターンと、ＳＹパターンとの関係についても、パターン「０００１０００００００００１０００００００００００００１０００１」との符号間距離は６、パターン「００１０００００００１００１０００００００００００００１０００１」との符号間距離は５、パターン「１０００１００００１０００１０００００００００００００１０００１」との符号間距離は３、パターン「１０００１００００００００１０００００００００００００１０００１」との符号間距離は７であり、いずれも２以上の符号間距離を満足していることが分かる。
【０１８７】
以上に、変調後のデータ系列が、Ｔｍｉｎ＝３、Ｔｍａｘ＝１１にラン長制限されている場合に好適なＳＹ０パターン、ＳＹパターン、ＰＡパターンの具体例を詳述した。以下、図１６を参照しながら、Ｔｍｉｎ＝２、Ｔｍａｘ＝８の場合の具体的パターンについて説明する。以下に説明するパターンは、例えば、データ領域ＤＡＴＡの変調方式に（ｄ＝１，ｋ＝７；ｍ＝２，ｎ＝３）のパラメータを持つラン長制限符号、いわゆる（１−７）変調方式として知られている変調方式を用いた場合に、特に好適なパターンである。
【０１８８】
図１６は、本発明の実施の形態２におけるＳＹ０パターン、ＳＹパターン、およびＰＡパターンの他の例を示す。図１６に示す各パターンは、いずれも下線で示すとおり、ＮＲＺ表記で「１００００００００００１００１」となるパターンを含んでいることが特徴である。上記共通のパターン部分は（１−７）変調方式における（Ｔｍａｘ＋３）・（Ｔｍｉｎ＋１）のパターンに相当する。上記ユニークパターン部分を設けることの利点は、実施の形態１で詳細に述べたとおりである。
【０１８９】
また、図１６の例において、ＳＹ０パターンとＳＹパターンとＰＡパターンには、直前の符号語のＬＳＢが“０"（ＮＲＺＩ表記でＬＳＢにて反転しない）の場合用に２種類、直前の符号語のＬＳＢが“１"（ＮＲＺＩ表記でＬＳＢにて反転する）の場合用に２種類の合計４種類のパターンか割り当てられている。この直前の符号語のＬＳＢによる分類は、（１−７）変調方式のＴｍｉｎが２であることに対応している。つまり、直前のデータ変調時にＬＳＢ側ゼロランが０であるか１以上であるかによって、上記の様に選択を行うことで、接続部分においてラン制限を満足することができる。
【０１９０】
さらに、図１６の左側に示される第１の選択符号系列は、ＣＤＳが正の値、右側に示される第２の選択符号系列はＣＤＳが負の値となるようにしている。これにより、図１５を参照して上述した例と同様に、効果的にＤＳＶ値の制御が可能になる。
【０１９１】
また、図１６のパターンの最も特筆すべき特徴として、ＳＹ０パターンとして使用可能な４種類のパターンと、ＳＹパターンとして使用可能な４種類のパターンと、ＰＡパターンとして使用可能な４種類のパターンとの間の符号間距離はいずれも（ＮＲＺＩ表記で）２以上になっていることである。
【０１９２】
例えば、ＳＹ０パターンのうち左上のパターン「０１０００００００１００００００００００１００１」と、ＳＹパターンの４種類のパターンおよびＰＡパターンの４種類のパターンとの符号間距離について検証してみる。まず、ＳＹパターン「０１０００１０１０１００００００００００１００１」とのＮＲＺＩ表記での符号間距離は２である。これは、前者をビット“１”からＮＲＺＩ変換したパターン「１００００００００１・・・・」と、後者をビット“１”からＮＲＺＩ変換したパターン「１００００１１００１・・・」とを比較することにより求められる。
【０１９３】
同様にして、パターン「０１００１００００１００００００００００１００１」との符号間距離は４、パターン「１０１０１００００１００００００００００１００１」との符号間距離は３、パターン「１０００１００００１００００００００００１００１」との符号間距離は３であり、いずれの符号間距離も２以上となっている。またＰＡパターンとの関係についても、パターン「０１０１０１０００１００００００００００１００１」との符号間距離は２、パターン「０１０１０１０１０１００００００００００１００１」との符号間距離は５、パターン「１０００１０１００１００００００００００１００１」との符号間距離は３、パターン「１０１０１０１００１００００００００００１００１」との符号間距離は３となっており、いずれの符号間距離も２以上となっていることが分かる。
【０１９４】
このように、ＳＹ０パターンとＳＹパターンとＰＡパターンとの互いの符号距離を全て２以上離すことにより、ビットシフト等のエラーが起きてもこれらのパターンを誤識別する確率を低くすることができる。従って、セクタ３１０３の先頭のみをフレーム領域Ｆ０として他のフレーム領域Ｆ１からＦ２５と確実に区別することができ、セクタの頭出しを容易に行うことが可能である。
【０１９５】
また、リンキング位置に相当する第１のフレーム領域２０１をその他のフレーム領域と確実に区別することができ、リンキング位置の検出を容易に行うことが可能になる。リンキング位置の検出を行うことにより、リンキングに伴うデータの不連続等に対して、適切な処理を容易に行うことができる。記録装置によるデータの追記時の処理および再生装置によるリンキングフレーム領域における処理は、実施の形態６および７において後述する。
【０１９６】
図１７は、セクタ３１０３（図９）に含まれる２６個のフレーム領域の先頭に配置される同期符号系列の他の例を示す。図１７に示される例では、セクタ３１０３の先頭のフレーム領域には、ＳＹ０パターンを配置し、以下のフレーム領域には、前から順番に｛ＳＹ１・ＳＹ１・ＳＹ２・ＳＹ１・ＳＹ１・ＳＹ２・ＳＹ１…ＳＹ１・ＳＹ２・ＳＹ１｝を配置している。この例では、１セクタに含まれる、先頭以外のフレーム領域には、連続する３フレーム領域に１つの割合でＳＹ２パターンが配置される。
【０１９７】
図１８は、１セクタに含まれる第２のフレーム領域に記録される同期符号系列を光ディスク媒体に記録される順序に並べた例を示す。図１８（ａ）は、図１０を参照して上述した同期符号系列の配置に対応している。この例では、１セクタの先頭のフレーム領域のみに異なる種類の同期符号系列（ＳＹ０パターン）が配置され、その他のフレーム領域には全て同じ種類の同期符号系列（ＳＹパターン）が配置される。このため、光ディスク媒体の記録面の欠陥等によりセクタの途中でフレームスリップが起きた場合には、次にＳＹ０パターンが検出されるまでフレーム位置の判定が難しくなる。
【０１９８】
これに対し、図１８（ｂ）に示したように、ＳＹ０／ＳＹ１／ＳＹ２の３種類のパターンが用いられる場合には、セクタ途中のフレーム領域においても、｛ＳＹ１・ＳＹ２・ＳＹ１｝等の、最短３連続フレーム領域の並びを確認することにより、前後に１フレームスリップが起きたかどうか判定できる。また、ＳＹ０パターンは｛ＳＹ１・ＳＹ２・ＳＹ１｝の並びの直後に検出されることが予測されるので、ＳＹ０パターンを単独で検出する場合に比べて、セクタ先頭検出の信頼性を高めることができる。
【０１９９】
なお、ＳＹ０／ＳＹ１／ＳＹ２の３種類のパターンの効果的な並べかたは、以上説明した配置に限定されるものではない。図１８（ｃ）に示すように、ＳＹ０パターンの直後を｛ＳＹ１・ＳＹ２・ＳＹ１・ＳＹ１・ＳＹ２…｝としても同様の効果が得られ、｛ＳＹ２・ＳＹ１・ＳＹ１・ＳＹ２・ＳＹ１…｝としても同様である。また、４個以上の周期で並べてもよい。図１８（ｄ）に示すように、４個以上の周期で｛ＳＹ１・ＳＹ１・ＳＹ１・ＳＹ２・ＳＹ１・ＳＹ１・ＳＹ１・ＳＹ２…｝と３種類のパターンを配置してもよい。
【０２００】
上述のような第２のフレーム領域における同期符号系列の配置法を一般化して表現すると、以下の様になる。１セクタを構成する第２のフレーム領域の総数をＮ個（Ｎは３個以上の整数）としたとき、定数Ｊ、Ｌ（Ｊは２以上の整数、ＬはＪ以下の自然数）を定め、Ｍ＝Ｊ×Ｋ＋Ｌ（Ｋは０以上の整数）の関係を満たすＭ（ＭはＮ以下の自然数）について、セクタ中のＭ番目のフレーム領域の先頭にはＳＹ２パターンを配置し、第Ｍ番目以外のフレーム領域の先頭には、ＳＹ１パターンを配置する。このようにパターンを配置する場合、最短Ｊ個連続フレーム領域の並びを確認することにより、前後に（Ｊ−１）個までのフレームスリップを検出することが可能である。
【０２０１】
図１８（ｂ）および（ｃ）に示される例は、上記一般化表現のＮ＝２６、Ｊ＝３、Ｋ＝０〜８の場合に対応する。
【０２０２】
３種類のパターンを４個のフレーム領域の周期で配置した場合には、最短４連続フレーム領域の並びを確認することにより、前後に２フレームスリップまでは判別できる。フレーム領域の周期を５個および６個と増やしていくことによってフレームスリップの検出数を増やせる効果が得られる一方、増やせば増やすほど並びの確認に要する連続フレーム領域の数が多くなってしまうため、判定に時間がかかったり、ビットエラーが多い場合には並びの確認も困難となり、再生装置の信頼性を落としてしまう可能性もある。従って、フレーム領域の周期は、どれだけのフレームスリップを検出すべきか等、再生装置の要求に応じて最適に決定され得る。
【０２０３】
図１９は、１セクタに含まれるフレーム領域に記録される同期符号系列を光ディスク媒体に記録される順序に並べた他の例を示す。図１９（ａ）は、図１８（ａ）と同一の配置例を参考のために示している。図１９（ｂ）は、次セクタのＳＹ０パターン検出をより確実にするために、セクタの最後のフレーム領域にのみ別の同期符号系列（ＳＹ２パターン）を配置する例を示す。この場合、例えば｛ＳＹ１・ＳＹ２・ＳＹ０｝の３連続のパターンの検出を行うことにより、ＳＹ０パターンを単独で検出する場合に比べセクタの先頭検出自体の信頼性を高めることができる。なお、図１９（ｃ）に示されるように、セクタの最後の１フレーム領域だけでなく、セクタの最後の複数のフレーム領域に、別の同期符号系列（ＳＹ２パターン）を配置してもよい。
【０２０４】
図２０は、１セクタに含まれるフレーム領域に記録される同期符号系列を光ディスク媒体に記録される順序に並べたさらに他の例を示す。図２０に示される例では、セクタの中間フレーム領域に別の同期符号系列（ＳＹ２パターン）が記録される。例えば、各セクタの先頭より１４番目のフレーム領域にＳＹ２パターンを配置するようにすれば、ＳＹ１パターンとは種類の異なるパターンが、１／２セクタ毎（１３フレーム領域毎）に記録されることになるため、セクタの先頭の検出を高速かつ高信頼化できる効果がある。ＳＹ０パターンとＳＹパターンとの２種類が使用される場合には、セクタの先頭検出を高い信頼性で行うためにＳＹ０パターンを２６フレーム領域毎に連続何セクタか検出する必要があるが、ＳＹ０／ＳＹ１／ＳＹ２の３種類のパターンを図２０に示されるように配置すれば、｛ＳＹ０・ＳＹ２｝が交互に１３フレーム領域毎に検出できればよい。
【０２０５】
このように、セクタを構成する複数のフレーム領域に３種類の同期符号系列を適切に配置することにより、２種類の同期符号系列の場合に比較してセクタ先頭検出の性能を向上できる。
【０２０６】
なお、同期符号系列を３種類とした場合、互いの符号間距離を全て２以上（もしくは３以上）とすれば、最も高い信頼性が得られるが、少なくともＳＹ０パターンのみが、他の２種類のパターンから符号間距離が２以上（もしくは３以上）確保されていれば、セクタ先頭検出の信頼性を高める効果が得られる。
【０２０７】
次に、同期符号系列を４種類とした場合の配置例を説明する。
【０２０８】
図２１は、セクタ３１０３（図９）に含まれる２６個のフレーム領域の先頭に配置される同期符号系列のさらに他の例を示す。図２１に示される例では、セクタ３１０３に含まれる２６個のフレーム領域に配置される同期符号系列の種類は４種類である。前述の例と同じく１セクタのフレーム領域の数は２６とし、先頭の第１のフレーム領域には、ＳＹ０パターンが配置されている。
【０２０９】
同期符号系列は、ＳＹ０パターンとＳＹ１パターンとＳＹ２パターンとＳＹ３パターンとの４種類である。セクタ中の２番目以降のフレーム領域には、前から順番に｛ＳＹ１・ＳＹ２・ＳＹ３・ＳＹ１・ＳＹ２・ＳＹ３…ＳＹ１・ＳＹ２・ＳＹ３・ＳＹ１｝を配置している。この例では、１セクタに含まれる、先頭以外のフレーム領域には、連続する３フレーム領域に１つの割合でＳＹ２パターンとＳＹ３パターンとが配置される。
【０２１０】
図２２は、ＳＹ０／ＳＹ１／ＳＹ２／ＳＹ３の４種類のパターンが使用される場合に、１セクタに含まれるフレーム領域に記録される同期符号系列を光ディスク媒体に記録される順序に並べた例を示す。図２２（ａ）に示される例は、図２１に示した同期符号系列の配置例に対応している。図２２（ａ）に示すように、セクタ途中のフレーム領域においても、｛ＳＹ１・ＳＹ２・ＳＹ３｝等、最短３連続フレーム領域の並びを確認することにより、前後に１フレームスリップが起きたかどうか判定できる。また、ＳＹ０パターンは｛ＳＹ１・ＳＹ２・ＳＹ１｝の並びの直後に検出されることが予測されるので、ＳＹ０を単独で検出する場合に比べて、セクタ先頭検出の信頼性を高めることができる。
【０２１１】
また、別の配置法として、図２２（ｂ）に示すとおり、次セクタのＳＹ０パターンの検出を強化するために、セクタ中の最後のフレーム領域にのみ別の同期符号系列（ＳＹ３パターン）を配置してもよい。この場合、例えば｛ＳＹ２・ＳＹ３・ＳＹ０｝の３連続検出を行うことにより、ＳＹ０パターンを単独で検出する場合に比べセクタの先頭検出自体の信頼性を高めることができる。さらに、残りのフレーム領域については、図１８（ｂ）〜（ｄ）に示した例と同様に｛ＳＹ１・ＳＹ１・ＳＹ２｝のパターンを繰り返して配置すれば、セクタ途中でのフレームスリップの検出も行うことができる。
【０２１２】
また、別の配置法として、図２２（ｃ）に示すとおり、セクタの中間フレーム領域に別の同期符号系列（ＳＹ３パターン）を配置し、残りのフレーム領域には｛ＳＹ１・ＳＹ１・ＳＹ２｝を繰り返して配置してもよい。これにより、１／２セクタ毎の連続性確認によるセクタの先頭検出の性能向上と、フレームスリップの検出性能の向上を両立できる。
【０２１３】
以上のごとく、セクタを構成する複数のフレーム領域に４種類の同期符号系列を適切に配置することにより、３種類の同期符号系列を用いた場合に実現される効果に加えて、さらにフレーム同期／セクタ同期性能を向上できる。
【０２１４】
なお、４種類の同期符号系列が用いられる場合でも、互いの符号間距離を全て２以上（もしくは３以上）とすれば、最も高い信頼性が得られる。しかし、少なくともＳＹ０パターンのみが、他の３種類のパターンから符号間距離２以上（もしくは３以上）確保されていれば、セクタの先頭検出の信頼性を高めるという効果が得られる。
【０２１５】
このように、本発明の実施の形態２の光ディスク媒体３１０１は、第１のデータ単位（セクタ）を、先頭のフレーム領域（Ｆ０）と、続く少なくとも１つのフレーム領域（Ｆ１からＦ２５）から構成し、先頭のフレーム領域（Ｆ０）には、ＳＹ０パターンが記録される領域とデータを記録するデータ領域（ＤＡＴＡ）とが配置され、続く少なくもと１つのフレーム領域（Ｆ１からＦ２５）にはＳＹパターンを記録する領域とデータを記録するデータ領域（ＤＡＴＡ）が配置される。ＳＹ０パターンとＳＹパターンとは、全て同じビット長さでかつ互いの符号間距離を２以上に設定される。
【０２１６】
すなわち、２６個（所定の数）のフレーム領域（Ｆ０〜Ｆ２５）のうち、セクタの先頭に位置するフレーム領域Ｆ０のＳＹパターン（第２の同期符号系列）は、フレーム領域Ｆ０以外のフレーム領域（Ｆ１〜Ｆ２５）の第２の同期符号系列の何れとも、２以上の符号間距離だけ異なっている。
【０２１７】
これにより、再生時にＳＹ０パターンを容易に検出することが可能となり、各第１のデータ単位（セクタ）の頭出しを高速かつ容易に行うことが可能となる。
【０２１８】
ＳＹ０パターンとＳＹパターンとの間の符号間距離を３以上とすれば、符号間距離を２とした場合に比べ、ＳＹ０パターンとＳＹパターンとの間で誤検出する可能性をさらに減らすことができ、１ビット誤りを許容しても両者を識別することが可能となる。従って、フレーム同期・セクタ同期の安定性、第１のデータ単位（セクタ）の頭出し性能をさらに向上することができ、再生装置の信頼性を高めることができる。
【０２１９】
先頭のフレーム領域に続く少なくとも１つのフレーム領域に配置する同期符号系列を２種類以上（ＳＹ１とＳＹ２、あるいはＳＹ１とＳＹ２とＳＹ３）に拡張することで、フレーム領域Ｆ１〜Ｆ２５のうち、連続するフレーム領域の中で同期符号系列の並びの情報を得ることが可能になる。並びの情報を利用して次の第１のデータ単位（セクタ）におけるＳＹ０パターンの出現を予測したり、ＰＬＬ外れ等によりフレームスリップの検出および補正を行うことが可能となる。
【０２２０】
その際、第１のデータ単位（セクタ）の先頭のＳＹ０パターンと、他の同期符号系列（ＳＹ１とＳＹ２、あるいはＳＹ１とＳＹ２とＳＹ３）の間の符号間距離を２以上（または３以上）とするのみならず、すべての同期符号系列の種類毎の符号間距離を２以上（または３以上）とすることにより、セクタ先頭検出の性能、ＰＬＬ外れ等の異状時におけるフレーム同期性能をさらに向上することが可能となる。
【０２２１】
また、第１のデータ単位（セクタ）の所定数（８セクタ分）が第２のデータ単位（データブロック）を構成し、第２のデータ単位（データブロック）毎に第１のフレーム領域２０１を配置し、第１のフレーム領域２０１の先頭にはＰＡパターンを配置する。ＳＹ０パターンとＳＹパターンとＰＡパターンとは全て同じビット長さでかつ互いの符号間距離を２以上に設定される。これにより、再生時にＰＡパターンを容易に検出することが可能となり、各第２のデータ単位（データブロック）の頭出しを高速かつ容易にすることが可能となる。また、一連の情報記録再生（リンキング）の開始点および終了点は、第１のフレーム領域２０１内に設定されるので、情報の記録を行う際にリンキングの信頼性を向上させ、リンキング位置をまたいで情報再生を行う際にもデータ再生を安定かつ高速に行うことが可能となる。
【０２２２】
なお、本実施の形態において、第１のフレーム領域（第１領域及び第３領域）には第１の同期領域ＰＡと第２の同期領域ＶＦＯが含まれる例について説明したが、他の同期符号系列やデータ系列が含まれていても良い。また、好ましい例として、第１のフレーム領域に記録される同期パターンＰＡと、各セクタの先頭に位置する第２フレーム領域に記録される同期パターンＳＹ０と、各セクタの先頭以外に位置する第２のフレーム領域に記録される同期パターンＳＹは、同じ長さに設定され、互いの符号間距離を２以上にする例を示したが、これに限定されるものではない。
【０２２３】
（実施の形態３）
図２３は、本発明の実施の形態３の記録可能な光ディスク媒体４０１の上面図を示す。図２３に示すように、光ディスク媒体４０１の記録面には情報トラック４０２がスパイラル状（螺旋状）に形成されており、情報トラック４０２はさらにデータブロック４０３に分割されている。すなわち、光ディスク媒体４０１の記録面において、データブロック４０３が円周方向に連続して配置され、情報トラック４０２（記録領域）を形成している。
【０２２４】
図２４は、本発明の実施の形態３の光ディスク媒体４０１（図２３）のデータブロック４０３のデータフォーマットを示す。図２４に示すように、各データブロック４０３の先頭には、第１のフレーム領域５０１が設けられ、続いて第２のフレーム領域５０２が複数個配置され、１つのデータブロック４０３を構成している。図２４において、右側に示される領域は、左側に示される領域よりも後方の領域である。
【０２２５】
第１のフレーム領域５０１には、その先頭に第１の同期領域ＰＡが配置され、続いて第２の同期領域ＶＦＯが配置され、最後尾に第４の同期領域ＰＳが配置されている。第２のフレーム領域２０２には、その先頭に第３の同期領域ＳＹが配置され、続いてデータ領域ＤＡＴＡが配置されている。
【０２２６】
本発明の実施の形態３における第１の同期領域ＰＡ、第２の同期領域ＶＦＯ、第３の同期領域ＳＹ、およびデータ領域ＤＡＴＡは、実施の形態１と同様の役割を有する領域であり、その詳細な説明は重複するので省略する。実施の形態３が実施の形態１と異なる点は、第１のフレーム領域５０１の最後尾に第４の同期領域ＰＳが付加されていることである。
【０２２７】
第４の同期領域ＰＳは、各データブロック４０３の読み出し時（特にデータ追記の先頭に相当するデータブロック４０３ａの読み出し時）に、再生装置が第２のフレーム領域５０２の先頭を確実に検出するのを助長する役割を果たす。データ追記の先頭に相当するデータブロック４０３ａでは、その第１のフレーム領域５０１ａのうち、第１の同期領域ＰＡａと第２の同期領域ＶＦＯａの途中まで（第１の同期領域ＰＡａの先頭からＥバイト目）の部分は、データブロック４０３ａの直前のデータブロック４０３と同時に記録される。すなわち、第１のフレーム領域５０１ａに、ＰＡパターンと、記録終了位置ＶＦＯ部分２１０１とが記録される。データブロック４０３ａのデータ追記時には、第１のフレーム領域５０１ａのうち、第２の同期領域ＶＦＯａの途中（第１の同期領域ＰＡａの先頭からＳバイト目）（Ｓ≦Ｅ）から記録される（リンキング）。すなわち、第１のフレーム領域５０１ａ（第３領域）に、記録開始位置ＶＦＯ部分２１０２と、ＰＳパターンとが記録される。第３領域は、記録開始位置ＶＦＯ部分２１０２が記録される領域と、第５の同期符号系列（ＰＳパターン）が記録される第４の同期領域ＰＳとを含む。
【０２２８】
図２４には、第１のフレーム領域５０１ａに続く第２のフレーム領域を参照番号５０２ａにより示す。第２のフレーム領域５０２ａおよびそれ以外の第２のフレーム領域５０２は、ともに、図２を参照して上述した第２のフレーム領域２０２と同様の構造を有する。ただし、以下の説明では、第２のフレーム領域５０２ａに含まれる第３の同期領域ＳＹを、特に参照符号ＳＹａにより区別する。
【０２２９】
従来の技術においても説明したように、再生装置には、光ディスク媒体を回転させるディスクモータの回転ジッタや、記録チャンネルクロックの周波数等による種々の誤差要因がある。これらの誤差要因により、第２の同期領域ＶＦＯａの途中、データの追記開始点において不連続が生じる。そのため第１のフレーム領域５０１ａの長さは、一連のデータ記録途中におけるその他のデータブロック４０３の第１のフレーム領域５０１の長さと比較して、誤差（不連続）の発生した分変動してしまう。不連続の発生により第１のフレーム領域５０１ａの長さが変化すると、ドライブ装置のデータ読み出し時に第２の同期領域ＶＦＯを利用して確実にデータ２値化・ＰＬＬ引き込みを行ったとしても、第２のフレーム領域５０２ａの先頭にある第３の同期領域ＳＹａが正しく検出できなければ、以降のデータ領域ＤＡＴＡａを正しく復調することが出来なくなる。その結果、読み出しエラーが生じ得る。
【０２３０】
本発明の実施の形態３では、上記の課題の対策として、第４の同期領域ＰＳを付加することにより、第２のフレーム領域５０１ａの先頭の検出を確実にすることが提案される。第３の同期領域ＳＹａが正しく検出出来ない場合でも、第４の同期領域ＰＳが検出できれば、第２のフレーム領域５０２ａにおけるデータ領域ＤＡＴＡａを正しく復調することが可能となり、エラー耐性を強化できる。
【０２３１】
本発明の実施の形態３では、変調方式として（ｄ＝２，ｋ＝１０；ｍ＝８，ｎ＝１６；ｒ＝１）のパラメータを持つラン長制限符号を用い、マーク長記録を行うものとする。すなわち、データ領域ＤＡＴＡに記録されるデータ系列は最短Ｔｍｉｎ＝３ビット長，最長Ｔｍａｘ＝１１ビット長の記録マークおよび記録スペースからなる。
【０２３２】
図２５は、本発明の実施の形態３において特に好適な第４の同期領域ＰＳに記録されるパターン（ＰＳパターン）の一例を示す。図２５に示されるパターンは、ＮＲＺ表記で｛００００  ０１００  ０１００  １０００  ００１０  ０００１  ００１０  ００００  １０００  ００１０  ０００１  ００００｝となる、合計４８チャンネルビットのパターンである。このパターンの特徴は、自己相関性が強く、ＤＳＶ＝０であり、４ビット毎に区切った部分パターンが“００００”、“１０００”、“０１００”、“００１０”、“０００１”の５種類のいずれかになっていることである。データ領域ＤＡＴＡの変調方式に（ｄ＝２，ｋ＝１０；ｍ＝８，ｎ＝１６；ｒ＝１）のパラメータを持つラン長制限符号を用いた場合、図２５に示されるパターンはちょうど３バイト長になる。図２５に示されるパターンは、直前の第２の同期領域ＶＦＯが４Ｔ記録マーク・４Ｔスペースの繰り返しパターンとなっている場合に特に好適なパターンである。このパターンのさらに詳細な特徴については、先行文献（特許公報第３０９８２５８号）を参照されたい。
【０２３３】
図２６は、本発明の実施の形態３において特に好適なＰＳパターンの他の例を示す。図２６のパターンは、ＮＲＺ表記で｛０００００  ０００００  １００００  ０００００  ０１０００  ０００００  ００１００  ０００００  ０００１０｝となる合計４５チャンネルビットのパターンである。このパターンの特徴は１１Ｔ記録マーク・スペースを交互に２回繰り返したパターンを含み、ＤＳＶの絶対値が１と非常に小さいことである。上記はデータ領域ＤＡＴＡの変調方式に（ｄ＝２，ｋ＝１０；ｍ＝８，ｎ＝１５；ｒ＝１）のパラメータを持つラン長制限符号を用いた場合、該パターンはちょうど３バイト長さとなる。図２６のパターンは、変調後の系列に１１Ｔの繰り返しが４回以上連続しない場合に、データ領域ＤＡＴＡやその他の領域に存在しうる全てのパターンに対して十分符号距離が保てるため誤検出に強く、特に好適なパターンである。
【０２３４】
図２７は、本発明の実施の形態３において特に好適なＰＳパターンのさらに他の例を示す。図２７のパターンは、ＮＲＺ表記で｛０００  ０００  ０００  ０１０  ０００  ００１  ０００  ０００  １００  ０００  ０００  ００１｝となる合計３６チャンネルビットのパターンである。このパターンの特徴は、１１Ｔ・７Ｔ・７Ｔ・１１Ｔのパターンを含み、ＤＳＶ＝０であることである。上記はデータ領域ＤＡＴＡの変調方式に（ｄ＝１，ｋ＝７；ｍ＝２，ｎ＝３；ｒ＝１）のパラメータを持つラン長制限符号を用いた場合、図２７に示されるパターンはちょうど３バイト長になる。最大反転間隔をＴｍａｘとしたときに、図２７のパターンは、（Ｔｍａｘ＋３）＝１１Ｔのパターンを２回含むため、データ領域ＤＡＴＡやその他の領域に存在しうる全てのパターンに対して十分符号距離が保てるため誤検出に強く、特に好適なパターンである。
【０２３５】
以上説明したようなデータフォーマットを有する光ディスク媒体４０１にデータの記録を行う方法は、実施の形態１で説明した方法と同様であり、その詳細説明は省略する。
【０２３６】
図２８は、本発明の実施の形態３において特に好適なＰＳパターンの他の例を示す。図２８のパターンは、ＮＲＺ表記で「０００００００００００１０００００００００００１０００００００００００１０００００００００００１」となる合計４８チャンネルビットのパターンである。このパターンの特徴は、１２Ｔ記録マーク・１２Ｔスペースを交互に２回繰り返したパターンを含み、ＣＤＳが０となることである。データ領域ＤＡＴＡの変調符号を８／１６変調方式とした場合、１２Ｔは（Ｔｍａｘ＋１）ビットであるためデータ領域ＤＡＴＡの如何なるデータ系列にも出てこないパターンである。さらに、１２Ｔを４回繰り返すことにより８／１６変調データ系列との符号間距離を非常に長くできるため、図２８のパターンは、誤検出に対して非常に強いパターンといえる。
【０２３７】
また、直前の第２の同期領域ＶＦＯａ（図２４）のパターンを「０００１０００１０００１０００１・・・」、すなわち４Ｔ記録マーク・４Ｔスペースの繰り返しパターンとした場合、第２の同期領域ＶＦＯａの開始から第４の同期領域ＰＳの終了時点までＤＳＶ値を０に保つこととなるため、再生装置においてデータ２値化のスライスレベルを安定にすることができる。従って、後続の第２のフレーム領域５０２ａに含まれる同期領域ＳＹａに記録されたパターンを再生する際にも有利である。
【０２３８】
８／１６変調方式との組み合わせで上記パターンを適用した場合、第５の同期符号系列ＰＳの長さはちょうど３バイトとなり、第１のフレーム領域５０１ａ（図２４）を９３バイト長、第３の同期符号系列ＰＡを２バイト長とした場合、第２の同期領域ＶＦＯａ（図２４）の長さは８８バイトとなる。
【０２３９】
図２９は、本発明の実施の形態３において特に好適なＰＳパターンのさらに他の例を示す。図２９のパターンは、ＮＲＺ表記で「００００００００１００００００００００００１００００００００００００１００００００００１０」となる合計４５チャンネルビットのパターンである。このパターンの特徴は、９Ｔ・１３Ｔ・１３Ｔ・９Ｔのパターンを含み、ＤＳＶの絶対値が１と非常に小さいことである。図２９のパターンは、データ領域ＤＡＴＡの変調方式に（ｄ＝２，ｋ＝１０；ｍ＝８，ｎ＝１５；ｒ＝１）のパラメータを持つラン長制限符号を用いた場合、ちょうど３バイト長さとなる。
【０２４０】
また、（Ｔｍａｘ＋２）ビットのパターンと（Ｔｍａｘ−２）ビットのパターンを各々２回含むため、図２８のパターンと同様に、変調後のデータ系列との符号間距離を非常に長くできる。さらに、長い記録マーク・スペースの組み合わせでありながら、平均的な反転間隔、すなわちデータＰＬＬの位相比較に必要なエッジの出現頻度は、Ｔｍａｘ毎である。従って、データ領域ＤＡＴＡにおけるエッジの出現頻度の最大値と同等であるため、再生装置のデータＰＬＬにおいて長期間エッジが検出されないことによる悪影響がない。
【０２４１】
また、長マークパターンの順序を（Ｔｍａｘ−２）・（Ｔｍａｘ＋２）・（Ｔｍａｘ＋２）・（Ｔｍａｘ−２）としたことにより、高い信頼性で部分パターン検出が可能となる。つまり、第５の同期符号系列ＰＳを全パターン一致による検出方法だけでなく、該パターンの前半部分（Ｔｍａｘ−２）・（Ｔｍａｘ＋２）のみを検出してもよいし、後半部分（Ｔｍａｘ＋２）・（Ｔｍａｘ−２）のみを検出してもよい。これは上記前半もしくは後半のどちらか一方だけでも、データ領域ＤＡＴＡやその他の領域に存在し得る全てのパターンに対して十分符号間距離が保てることによる。従って、図２９のパターンは、誤検出に強く特に好適なパターンである。
【０２４２】
図３０は、本発明の実施の形態３におけるＰＳパターンのさらに他の例を示す。図３０のパターンは、例えば、データ領域ＤＡＴＡの変調方式に（ｄ＝１，ｋ＝７；ｍ＝２，ｎ＝３）のパラメータを持つラン長制限符号、いわゆる（１−７）変調方式として知られている変調方式を用いた場合に、特に好適なパターンである。
【０２４３】
図３０のパターンは、ＮＲＺ表記で「００１０００００１０００００００００１０００００００００１０００００１０」となる合計３６チャンネルビットのパターンである。このパターンの特徴は６Ｔ・１０Ｔ・１０Ｔ・６Ｔのパターンを含み、ＣＤＳの値が０となることである。公知の（１−７）変調方式によれば、８ビットバイナリデータが１２チャンネルビットの符号語に変換されるため、図３０のパターンの長さはちょうど３バイトとなる。
【０２４４】
また、長マークパターンの順序を（Ｔｍａｘ−２）・（Ｔｍａｘ＋２）・（Ｔｍａｘ＋２）・（Ｔｍａｘ−２）としたことにより、高い信頼性で部分パターン検出が可能となる。つまり、ＰＳパターンを全パターン一致による検出方法だけでなく、該パターンの前半部分（Ｔｍａｘ−２）・（Ｔｍａｘ＋２）のみを検出する方法によって検出してもよいし、後半部分（Ｔｍａｘ＋２）・（Ｔｍａｘ−２）のみを検出する方法によって検出してもよい。これは上記前半もしくは後半のどちらか一方だけでも、データ領域ＤＡＴＡやその他の領域に存在し得る全てのパターンに対して十分符号間距離が保てるためである。従って、図３０のパターンは、誤検出に強く特に好適なパターンである。
【０２４５】
図３１は、本発明の実施の形態３におけるＰＳパターンのさらに他の例を示す。図３１のパターンは、ＮＲＺ表記で「０１００１０００００００１０００００００００００１０００００００００００１０００００００１００１０」となる合計４８チャンネルビットのパターンである。図３１のパターンの特徴は、８Ｔ・１２Ｔ・１２Ｔ・８Ｔのパターンを含むことであり、データ領域の変調方式に（ｄ＝１，ｋ＝９，ｎ／ｍ＝１．５）のパラメータを持つラン長制限符号を用いたときに好適なパターンである。つまり前記したパターン例と同様に（Ｔｍａｘ−２）・（Ｔｍａｘ＋２）・（Ｔｍａｘ＋２）・（Ｔｍａｘ−２）を含むパターンであるため、誤検出に強い。また、図３１のパターンは、８Ｔの前後の３Ｔを含めてＮＲＺＩ記録した結果のマーク部の長さの合計とスペース部の長さの合計が等しく（つまりＣＤＳは０で）、前後に対象のパターンである。このため、光ディスクへの記録時のパワー変動が起きた場合の再生信号劣化のケースとして良く知られているアシンメトリ（マーク部の振幅とスペース部の振幅が非対称）が発生した場合でも、図３１のパターンを安定に検出することが可能である。
【０２４６】
また、図３１のパターンは３Ｔから開始しているため、本発明の実施の形態３のようにＰＳの直前のＶＦＯ領域のパターンが、（Ｔｍｉｎ＋１）つまり３Ｔの繰り返しパターンである場合に、接続箇所において前後のつながりがよい（ラン長制限を満たしやすい）。
【０２４７】
以上説明したように、リンキングフレーム領域に相当する第１のフレーム領域５０１を、第１の同期領域ＰＡと第２の同期領域ＶＦＯと第４の同期領域ＰＳにより構成することにより、ドライブ装置の種々の変動要因によりデータ記録の追記箇所でフレーム領域の長さが変化することがあっても、継続する第２のフレーム領域５０２に記録されたデータを安定に読み出すことが可能となる。従って、最小限のオーバーヘッドで優れたエラー耐性を有する優れた光ディスク媒体が実現でき、再生装置の信頼性を高く保つことができる。
【０２４８】
なお、図２４に示される例では、データブロック４０３ａにはセクタは示されていないが、データブロック４０３ａは、図９を参照して上述したようなセクタを有していてもよい。もちろん、図９を参照して上述したように、各セクタの先頭の第２のフレーム領域と、それ以外の第２のフレーム領域とに、異なる同期符号系列（ＳＹ０とＳＹ）とが記録されてもよい。この場合には、セクタやデータブロックの頭出しをさらに容易にすることができ、情報の記録再生の信頼性を飛躍的に向上させることができる。
【０２４９】
このように、本発明の実施の形態３では、光ディスク媒体４０１の情報トラック４０２は、記録再生の単位であるデータブロック４０３（４０３ａ）に分割され、各データブロック４０３（４０３ａ）は、先頭の第１のフレーム領域５０１（５０１ａ）と、続く少なくとも１つの第２のフレーム領域５０２から構成される。各第１のフレーム領域５０１（５０１ａ）は第１の同期領域ＰＡと第２の同期領域ＶＦＯと第４の同期領域ＰＳから構成され、第２のフレーム領域は第３の同期領域ＳＹと、データが記録されるデータ領域ＤＡＴＡから構成される。データの記録開始／記録終了（リンキング）は、第１のフレーム領域５０１ａ（リンキングフレーム領域）の中の第２の同期領域ＶＦＯの範囲内で行われるので、リンキング箇所で記録位置の不連続が生じても第２の同期領域ＶＦＯで吸収できる。本発明の実施の形態３では、第１のフレーム領域５０１（５０１ａ）の第２の同期領域（ＶＦＯ）の後にさらに第４の同期領域（ＰＳ）が配置される。第４の同期領域には、ＶＦＯパターンの末尾を識別するＰＳパターン（第５の同期符号系列）が記録される。ＶＦＯパターンの末尾を識別することは、実施の形態１で説明した第１の同期符号系列（図２に示される記録開始位置ＶＦＯ部分２１０２）の末尾を識別することと等価である。リンキング前後の同期情報（第１の同期領域ＰＡと第４の同期領域ＰＳ）が強化されているので、常に安定なデータ再生を実現することが可能となる。このＰＳパターンは、少なくとも１つの第２のフレーム（全体として、第１領域データ）を記録した少なくとも１つ第２のフレーム領域全体（第１領域）の先頭を特定する（すなわち、記録された第１領域データの先頭を特定する）ために用いられる。第１領域は、第４の同期領域ＰＳの後方に続く。
【０２５０】
なお、本実施の形態において、第１のフレーム領域（第１領域及び第３領域）には第１の同期領域ＰＡと第２の同期領域ＶＦＯと第４の同期領域ＰＳが含まれる例について説明したが、他の同期符号系列やデータ系列が含まれていても良い。
【０２５１】
（実施の形態４）
図３２は、本実施の形態における光ディスク媒体７０１の上面図を示す。光ディスク媒体７０１の記録面には、情報トラック７０２がスパイラル状（螺旋状）に形成されており、情報トラック７０２はさらにデータブロック７０３に分割されている。すなわち、光ディスク媒体７０１の記録面において、データブロック７０３が円周方向に連続して配置され、情報トラック７０２（記録領域）を形成している。
【０２５２】
図３３は、本実施の形態における光ディスク媒体７０１のデータブロック７０３のデータフォーマットを示す。図３３に示すように、各データブロック７０３の先頭には第１のフレーム領域８０１が設けられ、続いて第２のフレーム領域８０２が複数個配置され、１つのデータブロック７０３を構成している。図３３において、右側に示される領域は、左側に示される領域よりも後方の領域である。
【０２５３】
第１のフレーム領域８０１には、その先頭に第１の同期領域ＰＡが配置され、続いて特定用途データ領域ＤＡＳＰが配置されている。第２のフレーム領域２０２には、その先頭に第３の同期領域ＳＹが配置され、続いてデータ領域ＤＡＴＡが配置されている。
【０２５４】
ここで本実施の形態における第１の同期領域ＰＡ、第３の同期領域ＳＹ、およびデータ領域ＤＡＴＡは、実施の形態１における各々と同様の役割を有する領域であり、その詳細な説明は重複するので省略する。本発明の実施の形態４が実施の形態１と異なる点は、第１のフレーム領域２０１における第２の同期領域ＶＦＯの代わりに、ＥＣＣブロックの先頭に位置する第１のフレーム領域８０１ａ（ＥＣＣブロックの先頭のデータブロック７０３ａに含まれる第１のフレーム領域）に、特定用途データ領域ＤＡＳＰが設けられていることである。ＥＣＣブロックの先頭以外に位置する第１のフレーム領域８０１も、第１のフレーム領域８０１ａと同様の構成を有し得る。
【０２５５】
本発明の実施の形態４では、図３３に示すようにエラー訂正符号を構成するＥＣＣブロック８０４は、連続する４つのデータブロック７０３から構成されている。また、エラー訂正符号は、連続する４つのデータブロック７０３に属するデータ領域ＤＡＴＡについてのみ符号化されており、特定用途データ領域ＤＡＳＰは、エラー訂正の対象に含まれていない。
【０２５６】
特定用途データ領域ＤＡＳＰには、ユーザデータを含むデータ領域ＤＡＴＡとは異なる用途の特定データを含んだデータ系列が記録されている。特定用途データ領域ＤＡＳＰに記録されたデータは、データ領域ＤＡＴＡとは独立したデータとして扱えるため、その特定データを読み出すために、当該データブロック７０３のデータ領域ＤＡＴＡの読み出し、エラー訂正等を行う必要はない。
【０２５７】
また、特定用途データ領域ＤＡＳＰは、各データブロックに対して少なくとも１つ、１ＥＣＣブロックに対しては複数設けられる。このため、特定用途データ領域ＤＡＳＰには、各データブロックもしくは各ＥＣＣブロックに対応した情報を表すデータ（特定データ）を記録することが可能である。
【０２５８】
特定用途データ領域ＤＡＳＰに記録される特定データの中身としては、例えば、以下のものが考えられる。
【０２５９】
（用途１）当該データブロックのデータ領域ＤＡＴＡに記録されたユーザデータのデータ属性
（用途２）当該データブロックのデータ記録方法や記録特性に関する情報
用途１は、各データブロック毎に記録されたユーザデータの属性を記録することであり、その属性は当該データブロックのデータ領域ＤＡＴＡに含まれるユーザデータとは独立に得られる。従って、この属性はユーザデータの読み出しを行うことなく得られる。従って、属性として例えばコンテンツの著作権保護情報を含めれば、各データブロックを最小単位とした著作権保護に対する制御を行うことができる。
【０２６０】
用途２は、各データブロック毎に記録の方法や記録特性に関する情報を記録することであり、その情報は当該データブロックのデータ領域ＤＡＴＡに含まれるユーザデータとは独立に得られる。この情報はユーザデータの読み出しを行うことなく得られる。従って、当該データブロックの記録の方法や記録特性に関する情報を、当該データブロックや他のデータブロックの記録動作時に役立てることが可能である。
【０２６１】
また、１ＥＣＣブロックを複数のデータブロックから構成し、データの書き換えは１ＥＣＣブロック単位で行い、１ＥＣＣブロックの先頭に相当する第１のフレーム領域８０１ａをリンキングフレーム領域とする。これにより、１ＥＣＣブロックに複数の特定用途データ領域ＤＡＳＰを配置できる。従って、１ＥＣＣブロックに属するどの特定用途データ領域ＤＡＳＰに対しても、同一の特定データを記録することにより、データの書き換えによって第１のフレーム領域８０１ａの特定用途データ領域ＤＡＳＰの読み出しが不能となって記録された特定データが失われた場合でも、残りの特定用途データ領域ＤＡＳＰを読み出すことにより、問題なく特定データの再生が行える。
【０２６２】
図３４（ａ）および図３４（ｂ）は、本発明の実施の形態４における第１のフレーム領域８０１ａの構成の他の例を示す。
【０２６３】
図３４（ａ）に示される例では、第１のフレーム領域８０１ａは、第１の同期領域ＰＡと第２の同期領域ＶＦＯから構成されている。図３４（ｂ）に示される例では、第１のフレーム領域８０１ａは、第１の同期領域ＰＡと第２の同期領域ＶＦＯと第３の同期領域ＰＳから構成されている。
【０２６４】
上述した構成により、リンキングフレーム領域に相当する各ＥＣＣブロックの先頭のみに、第２の同期領域ＶＦＯが設けられる。これにより、光ディスク媒体７０１に記録されたデータの再生を安定にするために必要な同期パターンが強化される（再生時の同期が確実に行われるようなパターンが記録される）。ＥＣＣブロックの先頭以外に位置するデータブロックの先頭の第１のフレーム領域８０１には、特定用途データ領域ＤＡＳＰが配置される。従って、データ記録開始／記録終了点においても、データの読み出しを安定に行うことができるとともに、各ＥＣＣブロック毎に、対応した特定データをユーザデータとは独立に記録再生することが可能となる。
【０２６５】
なお、図３４（ａ）および（ｂ）に示される例では、１ＥＣＣブロックの先頭を必ず、第２の同期領域ＶＦＯを含む、同期パターンが強化されたフレーム領域としたが、これに限定されるものではない。例えば、一連の記録動作の中で、複数のＥＣＣブロックを連続して記録する場合には、２番目以降のＥＣＣブロックの先頭は、同期パターンが強化されたフレーム領域にせず、特定用途データ領域ＤＡＳＰを有するフレーム領域としてもよい。
【０２６６】
また、本実施の形態において、第１のフレーム領域（第１領域及び第３領域）には、第１の同期領域ＰＡと第２の同期領域ＶＦＯと第４の同期領域ＰＳが含まれる場合と、第１の同期領域ＰＡと特定用途データ領域ＤＡＳＰが含まれる場合との２種類について説明したが、これに限定されるものではない。例えば、特定用途データ領域ＤＡＳＰが含まれる第１のフレーム領域にも、第４の同期領域ＰＳが含まれるようにしても良いし、他の同期符号系列やデータ系列が含まれていても良い。
【０２６７】
（実施の形態５）
図３５は、本発明の実施の形態５における光ディスク媒体１００１の上面図を示す。光ディスク媒体１００１の記録面には、情報トラック１００２がスパイラル状（螺旋状）に形成されている。情報トラック１００２は、さらに、データブロック１００３ａ、１００３ｂに分割されている。情報トラック１００２は、そのディスク内周部分と外周部分が再生専用領域１００４となっており、残りの中周部分が書き換え可能領域１００５となっている。再生専用領域１００４に属するデータブロック１００３ａは、データ記録面の凹凸等を利用して予めピットとして記録されており、書き換え可能領域１００５に属するデータブロック１００３ｂには、記録装置によりデータが記録される。
【０２６８】
図３６は、本発明の実施の形態５における光ディスク媒体１００１の再生専用領域１００４に属するデータブロック１００３ａのデータフォーマットを示す。図３６に示すように、各データブロック１００３ａの先頭には第１のフレーム領域１１０１が設けられ、続いて第２のフレーム領域１１０２が複数個配置され、１つのデータブロック１００３ａを構成している。図３６において、右側に示される領域は、左側に示される領域よりも後方の領域である。
【０２６９】
第１のフレーム領域１１０１には、その先頭に第１の同期領域ＰＡが配置され、続いて特定用途データ領域ＤＡＳＰが配置されている。第２のフレーム領域１１０２には、その先頭に第３の同期領域ＳＹが配置され、続いてデータ領域ＤＡＴＡが配置されている。第１の同期領域ＰＡ、第３の同期領域ＳＹ、およびデータ領域ＤＡＴＡは、実施の形態１において上述したものと同様の役割を有する領域であり、その詳細な説明は重複するので省略する。特定用途データ領域ＤＡＳＰは、実施の形態４において上述したものと同様の役割を有する領域であり、その詳細な説明は重複するので省略する。
【０２７０】
図３７は、本発明の実施の形態５における光ディスク媒体１００１の書き換え可能領域１００５に属するデータブロック１００３ｂのデータフォーマットを示す。図３７に示すように、各データブロック１００３ｂのフレーム構成は、再生専用領域に属するデータブロック１００３ａのフレーム構成と同様である。データブロック１００３ｂの先頭には第１のフレーム領域１２０１が設けられ、続いて第２のフレーム領域１２０２が複数個配置され、１つのデータブロック１００３ｂを構成している。図３７において、右側に示される領域は、左側に示される領域よりも後方の領域である。
【０２７１】
第１のフレーム領域１２０１には、その先頭に第１の同期領域ＰＡが配置され、続いて第２の同期領域ＶＦＯが配置され、最後尾に第４の同期領域ＰＳが配置されている。第２のフレーム領域１２０２には、その先頭に第３の同期領域ＳＹが配置され、続いてデータ領域ＤＡＴＡが配置されている。
【０２７２】
第１の同期領域ＰＡ、第２の同期領域ＶＦＯ、データ領域ＤＡＴＡおよび第３の同期領域ＳＹは、実施の形態１において上述したものと同様の役割を有する領域であり、その詳細な説明は重複するので省略する。第４の同期領域ＰＳは、実施の形態２において上述したものと同様の役割を有する領域であり、その詳細な説明は重複するので省略する。第４の同期領域ＰＳは、随意に設けられる。
【０２７３】
図３６および図３７に示されるように、再生専用領域１００４と書き換え可能領域１００５とをともにデータブロック単位に分割し、ともに同様なフレーム構成とすることにより、記録されたデータの物理的な形状（記録面の凹凸か記録膜の相変化か）は異なるものの、再生時において、少なくとも再生信号ＲＦ以降の処理（データ２値化・ＰＬＬ・復調等）は、ほぼ同様の処理により行うことが可能である。従って、再生装置において再生専用領域用の再生回路と書き換え可能領域用の再生回路を別々に設ける必要は全くなく、再生回路を簡略化できるので、再生装置のコストを低減することができる。
【０２７４】
再生専用領域に属するデータブロック１００３ａと書き換え可能領域に属するデータブロック１００３ｂとの違いは、各々の先頭に相当する第１のフレーム領域１１０１および１２０１の内部構成の違いである。
【０２７５】
書き換え可能領域１００５に属する第１のフレーム領域１２０１は、データ記録の開始／終了点であるリンキングフレーム領域に相当する。実施の形態１で詳細に述べてきたように、データ記録時に追記点（リンキングフレーム領域）においてデータの不連続が発生したとしても、以降のデータブロックを正しく再生する必要がある。その目的のために、第１のフレーム領域１２０１は、第１の同期領域ＰＡ、第２の同期領域ＶＦＯ、第４の同期領域ＰＳから構成され、同期情報が強化されている。また、ユーザデータの記録されない第２の同期領域ＶＦＯにおいて、データの記録開始・記録終了を行うことを可能にしている。
【０２７６】
一方、再生専用領域１００４における第１のフレーム領域１１０１は、ユーザデータを記録しないオーバーヘッド領域に相当するが、データの書き換え等が行われないので、データの不連続等が発生し得ない。従って、第１のフレーム領域１１０１に、実施の形態４で詳細に述べてきたように、各データブロックに対応した、ユーザデータとは独立に再生できる情報を表すデータ（特定データ）を記録することが可能である。この目的のために、第１の同期領域ＰＡの後に、特定用途データ領域ＤＡＳＰを配置し、ユーザデータとは独立に再生可能な情報を予め記録できるようにしている。
【０２７７】
なお、図３５に示される例では、光ディスク媒体１００１は再生専用領域１００４と書き換え可能領域１００５とを有していたが、光ディスク媒体１００１は再生専用領域１００４のみを有していてもよい。
【０２７８】
このように、本発明の実施の形態５の光ディスク媒体１００１では、その再生専用領域１００４に属するデータブロックのフレーム構造と、書き換え可能領域１００５に属するデータブロックのフレーム構造とが同一である。これは、ドライブ装置の再生回路規模の縮小に寄与する。
【０２７９】
また、本発明の実施の形態５の光ディスク媒体１００１では、その再生専用領域１００４に属するデータブロックの第１のフレーム領域１１０１や、書き換え可能な領域に属するデータブロックのうち、リンキングフレーム領域でない第１のフレーム領域１２０１には、同期強化のための領域ではなく、特定用途データ領域（ＤＡＳＰ）を配置してもよい。これにより、各データブロックに対応し、ユーザデータとは独立に扱える情報を特定データとして記録・再生することが可能となる。例えば、著作権保護情報やドライブ固有情報等を特定データとして記録・再生することができるので、光ディスク媒体および記録・再生装置の用途拡大に大きく寄与する。
【０２８０】
なお、本実施の形態において、第１のフレーム領域（第１領域及び第３領域）には、第１の同期領域ＰＡと第２の同期領域ＶＦＯと第４の同期領域ＰＳが含まれる場合と、第１の同期領域ＰＡと特定用途データ領域ＤＡＳＰが含まれる場合との２種類について説明したが、これに限定されるものではない。例えば、特定用途データ領域ＤＡＳＰが含まれる第１のフレーム領域にも、第４の同期領域ＰＳが含まれるようにしても良いし、他の同期符号系列やデータ系列が含まれていても良い。
【０２８１】
（実施の形態６）
図３８は、本発明の実施の形態６の情報記録装置（記録装置）１７１０の構成を示す。情報記録装置１７１０は、例えば、光ディスク媒体１０１（図１）、光ディスク媒体３１０１（図８）、光ディスク媒体４０１（図２３）または光ディスク媒体１００１（図３５）に情報の記録を行う。以下の説明では、情報記録装置１７１０は、実施の形態２において詳述した光ディスク媒体３１０１に情報の記録を行うものとする。
【０２８２】
記録再生ヘッド１７０１は、光ディスク媒体３１０１に対してデータの記録を行い、また予め記録されたデータや装置により記録したデータを読み取る役割を果たす。
【０２８３】
記録再生ヘッド１７０１は、光学的に信号の記録を行うための（例えば半導体レーザ等の）光源、記録データＷＴＤＴに対応して光源を駆動するための駆動回路、光源からの出射光を情報記録媒体３１０１の記録面に集光したり、光ディスク媒体３１０１よりの反射光を検出し信号として読み取る光学系、読み取った信号を電気信号ＲＦとして再生する光電変換器等から構成される。
【０２８４】
信号２値化手段１７０２は、記録再生ヘッド１７０１により読み取られた信号ＲＦを増幅し必要な信号処理を経て２値化する。
【０２８５】
パターン検出同期手段１７０３は信号２値化手段１７０２により２値化された２値化データＲＤＤＴを用いて光ディスク媒体３１０１のデータフォーマットに準じた同期符号系列を検出し、記録再生ヘッド１７０１が読み取っているデータの位置情報をリアルタイムで識別する。パターン検出同期手段１７０３の詳細な内部動作は、後述する。
【０２８６】
タイミング制御手段１７０４は、パターン検出同期手段１７０３によりリアルタイムに識別された位置情報ＡＤＲを元に、光ディスク媒体３１０１に対し記録すべきデータを所定の位置に記録できるように、ＥＣＣエンコード手段１７０５および変調手段１７０６の動作を制御する。タイミング制御手段１７０４は、記録にまつわる制御の他にも、光ディスク媒体３１０１の所定の位置にて信号の読み取りまたは記録が可能なように、位置情報ＡＤＲを用いながら記録再生ヘッド１７０１を移動させる動作、いわゆる検索動作の制御をも行う。
【０２８７】
ＥＣＣエンコード手段１７０５は装置外部より入力された記録すべきユーザデータに対し、誤り訂正符号等の冗長データを付加し所定のフォーマット形式にエンコードする。ＥＣＣエンコード手段１７０５は、さらに、タイミング制御手段１７０４からの記録動作タイミング信号ＷＴＧＴを元に、エンコードされたデータＥＣＣＤＴを変調手段１７０６へ出力する。ＥＣＣエンコード手段１７０５は、装置外部からユーザデータを受け取る受け取り手段として機能する。
【０２８８】
変調手段１７０６は、ＥＣＣエンコード手段１７０５によりエンコードされたデータＥＣＣＤＴを受け、所定の変調方式により変調し、記録データＷＴＤＴとして記録再生ヘッド１７０１へ出力する。
【０２８９】
本発明の実施の形態６における情報記録装置では、以上説明したような構成要素が互いに連携しながら光ディスク媒体３１０１に対し情報の記録を行う。この際、実施の形態２で説明したようなデータフォーマットを有する光ディスク媒体３１０１に対し、既に記録されているデータブロックに後続して新たなデータを記録（追記、すなわち、リンキング）するためには、既に記録されているデータ位置に対して精度良く追記を行う必要がある。
【０２９０】
このため、記録装置１７１０では、既に記録されているデータの位置を正しく検出し、それに精度良く同期した動作を行うことが重要である。このために、記録再生ヘッド１７０１から信号２値化手段１７０２を経由して再生された２値化データを用いて、実施の形態２にて詳細に説明したような同期符号系列を検出し、正確な位置情報を得る動作、すなわちパターン検出同期手段１７０３の動作が最も重要となる。位置情報ＡＤＲは、例えば、セクタ位置ＳＰｔ、フレーム位置ＦＰｔ、バイト位置ＢＰｔを含む。
【０２９１】
図３９は、パターン検出同期手段１７０３の内部構成の一例を示す。パターン検出同期手段１７０３の内部の構成要素を説明する。
【０２９２】
ＳＹ０パターン検出部１９０１は、２値化データＲＤＤＴより、ＳＹ０パターンを検出し、ＳＹ０パターンを検出したらＳＹ０検出信号ＳＹ０ＤＥＴを出力する。ＳＹ０パターン検出部１９０１は、ＳＹ０パターン（第２の同期符号系列）を検出する第１の検出部として機能する。
【０２９３】
ＰＡパターン検出部１９０２は、２値化データＲＤＤＴよりＰＡパターンを検出し、ＰＡパターンを検出したらＰＡ検出信号ＰＡＤＥＴを出力する。ＰＡパターン検出部１９０２は、ＰＡパターン（第３の同期符号系列）を検出する第３の検出部として機能する。
【０２９４】
ＳＹパターン検出部１９０３は、２値化データＲＤＤＴよりＳＹパターンを検出し、ＳＹパターンを検出したらＳＹ検出信号ＳＹＤＥＴを出力する。
【０２９５】
１フレームタイマ１９０４は各フレーム領域における先頭からのバイト位置を識別し、識別された結果を反映してバイト位置信号ＢＰｔおよびフレーム同期パルスＦＲＭＰＬＳをリアルタイムに出力する。１フレームタイマ１９０４は、１フレーム領域のバイト数（９３バイト）もしくはチャンネルビット数（８／１６変調方式の場合１４８８チャンネルビット）を計数する第１のカウント手段（図示せず）と、同期符号系列の検出ウィンドウを生成するバイト位置検出ウィンドウ生成手段（図示せず）等から構成されている。１フレームタイマ１９０４は、各パターン検出部１９０１〜１９０３からの検出信号ＳＹ０ＤＥＴ、ＰＡＤＥＴ、ＳＹＤＥＴを受け、内蔵のバイト位置検出ウィンドウ生成手段により、パターンの誤検出による同期ずれの保護のために適宜検出ウィンドウを制御しながら、内蔵の第１のカウント手段の位置合わせを行う。第１のカウント手段のカウント値（フレーム領域先頭からのバイト位置を示す）がバイト位置信号ＢＰｔとして出力され、１フレーム領域に１回（およそ９３バイト毎に）所定のバイト位置でフレーム同期パルスＦＲＭＰＬＳが出力される。
【０２９６】
１フレームタイマ１９０４は、基本的には、直前の同期符号系列のパターン検出結果から次の同期符号系列の検出位置の予測を行い、検出されるべきと判断される期間で検出ウィンドウをオープンにする。ウィンドウがオープンになっている期間で同期符号系列の検出信号を受けた場合に、正しい同期符号系列が検出されたものとして第１のカウント手段のカウント値ＢＰｔを所定の値にプリセットする。プリセットする値は必ずしも０でなく、検出処理に要する時間遅延を考慮して決定され得る。
【０２９７】
各フレーム領域のバイト数は同一であるため、バイト位置検出ウィンドウ生成手段は、検出ウィンドウを所定のバイト周期毎（具体的にはフレーム領域のバイト数であるおよそ９３バイト毎）に所定の期間オープンするように制御する。検出ウィンドウの幅は、記録再生ヘッド１７０１による信号読み取りのあらゆる変動要素（光ディスク媒体３１０１の回転変動・偏芯等によるジッタ成分や、リンキングフレーム領域でのデータ不連続等）を考慮して決定され得る。
【０２９８】
フレーム数カウンタ１９０５は、各セクタにおけるフレーム位置を識別し、識別された結果を反映してフレーム位置信号ＦＰｔおよびセクタ同期パルスＳＣＴＰＬＳをリアルタイムに出力する。フレーム数カウンタ１９０５は、１セクタのフレーム領域の数（２６乃至２７フレーム領域）をカウントする第２のカウント手段（図示せず）と、第１の同期符号系列ＳＹ０および第３の同期符号系列ＰＡの予測ウィンドウを生成するフレーム位置予測ウィンドウ生成手段（図示せず）等から構成される。フレーム数カウンタ１９０５は、１フレームタイマ１９０４からのフレーム同期パルスＦＲＭＰＬＳを受けて、内蔵の第２のカウント手段をカウントアップ動作する。また、フレーム数カウンタ１９０５は、各パターン検出部からの検出信号ＳＹ０ＤＥＴおよびＰＡＤＥＴを受け、内蔵のフレーム位置予測ウィンドウ生成手段により、パターンの誤検出による同期ずれの保護のために適宜予測ウィンドウを制御しながら、内蔵の第２のカウント手段の位置合わせを行う。
【０２９９】
フレーム位置予測ウィンドウ生成手段は、ＳＹ０パターンやＰＡパターンの出現順序を考慮しながら、両者に対する予測ウィンドウの生成を行う。実施の形態２にて詳細に説明したように、例えば、第１の同期符号系列ＳＹ０は１セクタに１回（２６フレーム領域に１回、ただし、第１のフレーム領域２０１（図９）が含まれる場合には、２７フレーム領域に１回）にしか出現しないといったように、各同期符号系列は所定の順序でしか検出されない。このことを利用して、フレーム位置予測ウィンドウ生成手段には、同期符号系列毎に別々の予測ウィンドウが設けられ得る。
【０３００】
検出信号ＳＹ０ＤＥＴが、ＳＹ０パターンに対する予測ウィンドウがオープンのときに出力されると、フレーム数カウンタ１９０５は、第２のカウント手段のカウント値ＦＰｔを０にプリセットする。また、検出信号ＰＡＤＥＴが、ＰＡパターンに対する予測ウィンドウがオープンのときに出力されると、フレーム数カウンタ１９０５は、第２のカウント手段のカウント値ＦＰｔを２６にプリセットする。検出信号が出力されない限り、フレーム同期パルスＦＲＭＰＬＳのタイミングで、第２のカウント手段のカウント値ＦＰｔが１インクリメントされる。このようにして、内蔵の第２のカウント手段のカウント値がフレーム位置信号ＦＰｔとして出力され、１セクタに１回（２６フレーム領域乃至２７フレーム領域毎に）所定のフレーム位置でセクタ同期パルスＳＣＴＰＬＳが出力される。
【０３０１】
セクタ数カウンタ１９０６は、各データブロックにおけるセクタ位置を識別し、識別された結果を反映してセクタ位置信号ＳＰｔをリアルタイムに出力する。セクタ数カウンタ１９０６は、１データブロックのセクタ数（８セクタ）をカウントする第３のカウント手段（図示せず）と、第３の同期符号系列ＰＡの予測ウィンドウを生成するセクタ位置予測ウィンドウ生成手段（図示せず）等から構成される。セクタ数カウンタ１９０６は、フレーム数カウンタ１９０５からのセクタ同期パルスＳＣＴＰＬＳを受けて、内蔵の第３のカウント手段をカウントアップ動作するとともに、ＰＡパターン検出部１９０２からの検出信号ＰＡＤＥＴを受け、内蔵のセクタ位置予測ウィンドウ生成手段により、パターンの誤検出による同期ずれの保護のため適宜予測ウィンドウを制御しながら、内蔵の第３のカウント手段の位置合わせを行う。
【０３０２】
セクタ位置予測ウィンドウ生成手段は、第３の同期符号系列ＰＡの出現順序を考慮しながら、該パターンの検出に対する予測ウィンドウの生成を行う。実施の形態２にて詳細に説明したように、第３の同期符号系列ＰＡは８セクタおきにしか出現しないため、セクタ位置予測ウィンドウ生成手段には、そのことを利用して予測ウィンドウが設られ得る。
【０３０３】
検出信号ＰＡＤＥＴが、ＰＡパターンに対する予測ウィンドウがオープンのときに出力されると、セクタ数カウンタ１９０６は、第３のカウント手段のカウント値ＳＰｔを０にプリセットする。また、検出信号ＰＡＤＥＴが出力されない限り、セクタ同期パルスＳＣＴＰＬＳのタイミングでカウント値ＳＰｔが１インクリメントされる。このようにして、内蔵の第３のカウント手段のカウント値がセクタ位置信号ＳＰｔとして出力される。
【０３０４】
以上説明したような内部構成を有するパターン検出同期手段１７０３により、光ディスク媒体３１０１から読み取った２値化データＲＤＤＴを用いて、実施の形態２にて詳細に説明したデータフォーマットに対する各同期符号系列（パターン）が検出される。これにより、読み取りデータの位置情報、すなわちセクタ位置ＳＰｔ、フレーム位置ＦＰｔ、バイト位置ＢＰｔがリアルタイムに得られる。パターン検出同期手段１７０３の出力であるこれらの位置情報を用いて、タイミング制御手段１７０４（図３８）は少なくともＥＣＣエンコード手段１７０５に対して、記録動作を指示する記録動作タイミング信号ＷＴＧＴを生成出力することができる。
【０３０５】
なお、図３９に示した内部構成はあくまでも一例であって、パターン検出同期手段１７０３の内部構成がこれに限定されるものではない。また、図３９の例においては、検出すべき同期符号系列として、ＳＹ０パターン、ＳＹパターン、ＰＡパターンを用いたが、さらに実施の形態３において説明したＰＳパターンを用いてもよい。この場合、検出されるパターンが増えるため、さらに同期性能・位置情報識別性能が向上する。この例は、図４０を参照して後述される。
【０３０６】
また、４種類の同期符号系列のみにより、光ディスク媒体３１０１における位置情報を全て判別できるわけではないことはいうまでもない。上記同期符号系列を用いて判別できるのは、各データブロックにおけるセクタ位置・フレーム位置・バイト位置であり、どのデータブロックであるかを識別することはできない。どのデータブロックであるかを識別するには、識別ＩＤ情報が必要であり、例えば図１４に示したようなデータ位置識別領域ＤａｔａＩＤがその目的に用いられる。
【０３０７】
図４０は、パターン検出同期手段１７０３の内部構成の他の例を示すブロック図である。図４０に示される内部構成は、図３９に示される内部構成とは、新たにＰＳパターン検出部２００１が付加されている点で異なる。図４０に示した各構成要素および構成要素間でやりとりされる内部信号のうち、図３９に示されるものと同一ものには同一の参照番号を付し、重複した説明は省略する。
【０３０８】
ＰＳパターンは、実施の形態３で説明したように、各データブロックの先頭検出を強化する目的のために、リンキング位置である第１のフレーム領域５０１ａの末尾に配置される。データブロックがセクタを有する場合、第１のフレーム領域５０１ａは、必ずセクタの先頭である第２のフレーム領域の直前にあるため、ＰＳパターンは、各セクタの先頭検出を強化する目的でも使用することができる。また、ＰＳパターンが第１のフレーム領域５０１ａの末尾の位置にあるので、ＰＳパターンは、各フレーム領域の先頭検出を強化する目的でも使用することができる。ＰＳパターン検出部２００１は、ＰＳパターン（第５の同期符号系列）を検出する第４の検出手段として機能する。
【０３０９】
以上の理由から、ＰＳパターンの検出結果である、ＰＳパターン検出部２００１の出力ＰＳＤＥＴは、１フレームタイマ２００２、フレーム数カウンタ２００３、セクタ数カウンタ２００４に入力され、各構成要素において位置識別に用いられる。
【０３１０】
図４１は、情報記録媒体３１０１のデータフォーマットと位置情報との関係を示す図である。ただし、図４１には、第１のフレーム領域は、参照符号ＬＦによって示されている。また、第１のフレーム領域は、実施の形態３で説明した第４の同期領域ＰＳを有するものとして示されている。図４１は、同期が確立した状態において、各位置情報、すなわちセクタ位置信号ＳＰｔ、フレーム位置信号ＦＰｔ、バイト位置信号ＢＰｔがとる値の例を示す。
【０３１１】
セクタ位置信号ＳＰｔは、各データブロックの先頭から順番に０から７までの値をとる。データブロックの先頭に位置する第１のフレーム領域ＬＦではセクタ位置信号ＳＰｔの値は０としている。
【０３１２】
フレーム位置信号ＦＰｔは、各セクタの先頭から順番に０から２５までの値をとる。例外として、第１のフレーム領域ＬＦでは、ＦＰｔ＝２６になる。各データブロックにおけるどのセクタにおいても、各フレーム領域（Ｆ０からＦ２５）に対するフレーム位置信号ＦＰｔの値は、０から２５の範囲である。
【０３１３】
バイト位置信号ＢＰｔは、各フレーム領域の先頭から順番に０から９２までの値をとる。各セクタにおけるどのフレーム領域においても、フレーム位置信号ＢＰｔの値は、フレーム領域の先頭において０となり、ＳＹ０パターン、ＳＹパターン、ＰＡパターンのいずれを通過するときのフレーム位置信号ＢＰｔの値も、０もしくは１となる。
【０３１４】
図４１には、これらの位置情報（位置信号ＳＰｔ、ＦＰｔ、ＢＰｔ）を用いて、タイミング制御手段１７０４により生成される記録動作タイミング信号ＷＴＧＴの波形の例をも示す。図４１には、１ＥＣＣブロック、すなわち連続する４つのデータブロックに対して記録を行う際の記録動作タイミング信号ＷＴＧＴの波形が示されている。記録動作タイミング信号ＷＴＧＴは、Ｈｉｇｈレベルにおいて記録動作を示し、このときＥＣＣエンコード手段１７０５は、ＥＣＣエンコードしたデータＥＣＣＤＴを変調手段１７０６へ出力する。
【０３１５】
データの追記は、リンキングフレーム領域である第３のフレーム領域において行われる。言い換えると、記録開始および記録終了は常に第１のフレーム領域の第２の同期領域ＶＦＯ内にて行われる。このため、記録動作タイミング信号ＷＴＧＴは、該当ＥＣＣブロックの先頭に位置するデータブロックの先頭における第１のフレーム領域ＬＦの先頭からＳバイト目（図４１の例では、Ｓ＝８）にてＬｏｗレベルからＨｉｇｈレベルに変化（記録の開始位置）し、当該記録ブロックの次のＥＣＣブロックの先頭に位置する第１のフレーム領域ＬＦの先頭からＥバイト目（図４１ではＥ＝１１）にてＨｉｇｈレベルからＬｏｗレベルに変化（記録の終了位置）する。
【０３１６】
正しくデータ同期がとれている場合、第１のフレーム領域ＬＦにおいて、ＳＰｔ＝０、ＦＰｔ＝２６となる。従って、タイミング制御手段１７０４において、記録動作タイミング信号ＷＴＧＴを生成するには、該当ＥＣＣブロック（記録を行っているＥＣＣブロック）において、｛ＳＰｔ＝０、ＦＰｔ＝２６、ＢＰｔ＝Ｓ｝のときに、ＷＴＧＴ＝Ｈｉｇｈとし、１ＥＣＣブロック経過後の｛ＳＰｔ＝０、ＦＰｔ＝２６、ＢＰｔ＝Ｅ｝のときに、ＷＴＧＴ＝Ｌｏｗとなるように、記録動作タイミング信号ＷＴＧＴを制御するとよい。
【０３１７】
このようにして、パターン検出同期手段１７０３は、ＰＡパターン（第３の同期符号系列）を検出する検出手段として機能する。タイミング制御手段１７０３は、検出されたＰＡパターンの先頭を基準にして、記録開始位置を決定する決定手段として機能する。図２を参照して上述したように、タイミング制御手段１７０３は、この記録開始位置を記録のたびにランダムに決定してもよい。
【０３１８】
また、ＥＣＣエンコード手段１７０５と、変調手段１７０６と、記録再生ヘッド１７０１とは、全体として、記録処理を行う記録手段として機能する。記録処理は、既に図２を参照して上述したように、記録動作の開始位置において、図２に示されるＶＦＯパターンの記録開始位置ＶＦＯ部分２１０２（データを安定に再生するために用いられる第１の追加同期符号系列）を記録する処理と、第２のフレームを記録する処理と、ＰＡパターンを記録する処理と、図２に示されるＶＦＯパターンの記録終了位置ＶＦＯ部分２１０１（データを安定に再生するために用いられる第４の追加同期符号系列）を記録する処理とを含む。もちろん、光ディスク媒体が実施の形態３を参照して説明したフォーマットに従う場合には、その記録処理は、ＰＳパターンを記録する処理を含む。
【０３１９】
なお、記録動作中は、基本的に、各同期符号系列は検出されない（あるいは検出しないようにしておく）ため、各位置信号（ＳＰｔ、ＦＰｔ、ＢＰｔ）はプリセットされず、補間動作を続けるものとする。
【０３２０】
このように、記録装置１７１０は、予め媒体に記録されている情報に対し新たに情報（追加データ）を追記録（リンキング）または上書き記録する際、予め記録されているデータからＳＹ０パターン、ＰＡパターンを検出する手段（パターン検出同期手段１７０３を備える。また、記録装置１７１０は、パターン検出の結果を用いて、新たな情報（追加データ）の記録開始タイミングを決定する手段（タイミング制御手段１７０４）を備える。これにより、予め記録されている第１のデータ単位（セクタ）や第２のデータ単位（データブロック）の頭出しを高速かつ安定に行いながら、情報の追記録・上書き記録の開始を行うことができるので、記録の位置精度を飛躍的に向上させ、記録装置の信頼性を向上させることができる。
【０３２１】
従って、記録装置１７１０は、大容量かつ高速なデータストレージ、ビデオディスクレコーダおよびマルチメディアレコーダに適用して極めて大きな効果を発揮するものである。
【０３２２】
（実施の形態７）
図４２は、本発明の実施の形態７の情報再生装置（再生装置）１８１０の構成を示す。情報再生装置１８１０は、例えば、光ディスク媒体１０１（図１）、光ディスク媒体３１０１（図８）、光ディスク媒体４０１（図２３）または光ディスク媒体１００１（図３５）に記録された情報の再生を行う。以下の説明では、情報再生装置１８１０は、実施の形態２において詳述した光ディスク媒体３１０１に記録された情報の再生を行うものとする。図４２において、信号２値化手段１７０２およびパターン検出同期手段１７０３は、図３８を参照して上述したものと同一であり、その詳細な説明は省略する。
【０３２３】
再生ヘッド１８０１は、光ディスク媒体３１０１に記録されているデータを読み取る役割を果たす。再生ヘッド１８０１は、光ディスク媒体３１０１へ照射するための（例えば半導体レーザ等の）光源、光源から光ディスク媒体３１０１の記録面へ照射された光よりの反射光を検出し信号として読み取る光学系、読み取った信号を電気信号ＲＦとして再生する光電変換器等から構成される。
【０３２４】
ＰＬＬ手段１８０２は、信号２値化手段により２値化された２値化データＲＤＤＴを用い、そのエッジ位置に位相同期したビット同期クロックＲＤＣＬＫを再生する。
【０３２５】
復調手段１８０４は、２値化データＲＤＤＴおよびビット同期クロックＲＤＣＬＫを用いて、再生データの復調を行い、復調後のデータＤＥＭＤＴを出力する。
【０３２６】
タイミング制御手段１８０３は、パターン検出同期手段１７０３によりリアルタイムに識別された位置情報ＡＤＲを元に、情報記録媒体３１０１の所定の位置に記録されているデータを再生できるように、復調手段１８０４に対し復調動作タイミング信号ＲＤＧＴを出力する。復調動作タイミング信号ＲＤＧＴは、Ｈｉｇｈレベルにおいて再生データの復調動作を示す。復調手段１８０４は、ＲＤＧＴ＝Ｈｉｇｈのときにのみ復調後のデータＤＥＭＤＴを出力する。
【０３２７】
また、タイミング制御手段１８０３は、信号２値化手段１７０２に対しては２値化のモードを制御するための２値化制御タイミング信号ＳＬＧＴを出力する。２値化制御タイミング信号ＳＬＧＴは、Ｈｉｇｈレベルにおいて通常の２値化動作モードを示す。信号２値化手段１７０２は、ＳＬＧＴ＝Ｈｉｇｈのときに、再生信号ＲＦを用いてその２値化スライスレベルの制御を行う。一方、信号２値化手段１７０２は、ＳＬＧＴ＝Ｌｏｗの状態において、２値化スライスレベルをＳＬＧＴ＝Ｈｉｇｈ時点の値にホールドし制御を行わない。
【０３２８】
さらに、タイミング制御手段１８０３はＰＬＬ手段１８０２に対してはＰＬＬ位相比較のモードを制御するためのＰＬＬ制御タイミング信号ＰＬＬＧＴを出力する。ＰＬＬ制御タイミング信号ＰＬＬＧＴは、Ｈｉｇｈレベルにおいて通常のＰＬＬ追従モードを示す。ＰＬＬ手段１８０２は、ＰＬＬＧＴ＝ＨＩｇｈのとき、内蔵のＰＬＬを２値化データＲＤＤＴに位相ロックさせるように制御する。ＰＬＬ手段１８０２は、ＰＬＬＧＴ＝Ｌｏｗの状態において、ＰＬＬをホールドし制御を行わない。
【０３２９】
またタイミング制御手段１８０３は、再生動作にまつわる制御の他にも、情報記録媒体１０１の所定の位置にて信号の読み取りが可能なように、位置情報ＡＤＲを用いながら再生ヘッド１８０１を移動させる動作、いわゆる検索動作の制御をも行う。
【０３３０】
ＥＣＣデコード手段１８０５は、復調されたデータＤＥＭＤＴから必要なデータを取り出し、エラー訂正符号を用いて誤りが見つかれば必要に応じて訂正し、ユーザデータとして出力する。
【０３３１】
再生ヘッド１８０１、信号２値化手段１７０２、ＰＬＬ手段１８０２、復調手段１８０４およびＥＣＣデコード手段１８０５は、全体として、光ディスク媒体３１０１の同期領域に記録された各種の同期信号およびデータ記録領域ＤＡＴＡに記録されたユーザデータの少なくとも一部を再生する再生手段として機能する。
【０３３２】
情報再生装置１８１０では、以上説明したような構成要素が互いに連携しながら光ディスク媒体３１０１より情報の読み出しを行う。この際、実施の形態２で説明したようなデータフォーマットを有する光ディスク媒体３１０１に既に記録されているデータの位置を正しく検出し、それに精度良く同期した動作を行うことが重要である。このために、再生ヘッド１８０１から信号２値化手段１７０２を経由して再生された２値化データを用いて、実施の形態２にて詳細に説明したような各種同期符号系列を検出し、正確な位置情報を得る動作、すなわちパターン検出同期手段１７０３の動作が最も重要となる。なお、パターン検出同期手段１７０３の動作は、図３９および図４０を参照して詳しく説明したので、重複した説明は省略する。
【０３３３】
図４３は、リンキングフレーム領域に相当する第１のフレーム領域ＬＦをまたいでデータの再生を行う際の各種タイミング信号の動作波形例を示す。２値化制御タイミング信号ＳＬＧＴは第１のフレーム領域ＬＦの先頭からＢＲ１バイト目でＨｉｇｈレベルからＬｏｗレベルになり、第１のフレーム領域ＬＦの先頭からＢＲ２バイト目でＬｏｗレベルからＨｉｇｈレベルになる。ＰＬＬ制御タイミング信号ＰＬＬＧＴは、２値化制御タイミング信号ＳＬＧＴと同様に、第１のフレーム領域ＬＦの先頭からＢＲ１バイト目でＨｉｇｈレベルからＬｏｗレベルになり、第１のフレーム領域ＬＦの先頭からＢＲ３バイト目でＬｏｗレベルからＨｉｇｈレベルとする。
【０３３４】
また、復調動作タイミング信号ＲＤＧＴは、直前のデータブロックが復調すべきデータであるかどうかに依存して、異なる態様で制御される。直前のデータブロックで復調を行っている場合には、復調動作タイミング信号ＲＤＧＴはＨｉｇｈレベルとなっている（図４３に破線で示す）が、第１のフレーム領域ＬＦに入ると、遅くとも第１のフレーム領域ＬＦの先頭からＢＲ１バイトまでにＬｏｗレベルに落とす。その後、第１のフレーム領域ＬＦの先頭からＢＲ４バイト後にＬｏｗレベルからＨｉｇｈレベルへ上げる。直前のデータブロックで復調を行っていない場合（図４３に実線で示す）には、復調動作タイミング信号ＲＤＧＴは、第１のフレーム領域ＬＦに入った時点でＬｏｗとなっている。
【０３３５】
ここで、記録の終了位置を第１のフレーム領域ＬＦの先頭よりＥバイト目、記録の開始位置を第１のフレーム領域ＬＦのＳバイト目（ＳおよびＥは９３バイト未満の有理数であり、Ｓ≦Ｅを満たす）とし、第３の同期符号系列ＰＡの長さを２バイトとすると、ＢＲ１、ＢＲ２、ＢＲ３、およびＢＲ４の値は、２≦ＢＲ１＜Ｓ、Ｅ＜ＢＲ２＜ＢＲ３＜ＢＲ４＜９３の関係を満たすように決定する。
【０３３６】
つまり、少なくとも第１のフレーム領域ＬＦの先頭からＳバイト目よりＥバイト目までは、２値化制御タイミング信号ＳＬＧＴをＬｏｗレベルとすることにより、再生信号ＲＦの品質が悪い可能性のある部分では、２値化スライスレベルを再生信号ＲＦに追従させないようにホールドする。また、ＰＬＬ制御タイミング信号ＰＬＬＧＴは、少なくともＳＬＧＴ＝Ｌｏｗの期間では、２値化制御タイミング信号ＳＬＧＴと同様にＬｏｗレベルとする。ただし、そのＬｏｗからＨｉｇｈレベルへの変化点は、ＳＬＧＴの変化点より後方に設定される。これにより、再生信号ＲＦの品質が悪い可能性のある部分でＰＬＬ制御を行わずホールドし、２値化スライスレベルの追従動作を開始した後に２値化データＲＤＤＴとの位相比較が再開される。また、復調動作タイミング信号ＲＤＧＴは、少なくともＰＬＬＧＴ＝Ｌｏｗの期間では、ＰＬＬＧＴと同様にＬｏｗレベルとされる。ただし、そのＬｏｗからＨｉｇｈレベルへの変化点は、ＰＬＬＧＴの変化点より後方に設定される。これにより、再生信号ＲＦの品質が悪い可能性のある部分で復調動作を行わないようにする。
【０３３７】
上記のように各種タイミング信号を設定することにより、第１のフレーム領域ＬＦ（リンキングフレーム領域）をまたいでデータの再生を行う場合にも、情報再生装置においてリンキングによるデータの不連続や繰り返し記録がなされることによる記録膜の劣化の影響が再生処理系に及ぶことが防止できる。これにより、リンキングフレーム領域をまたいでデータの再生を行う場合にも、正しくデータを再生することができる。
【０３３８】
なお、再生装置１８１０が、図３５を参照して上述した実施の形態５の光ディスク媒体１００１の再生専用領域に記録された特定データを再生する場合には、まず、第１のフレーム領域１１０１（図３６）の第１の同期領域ＰＡに記録されたＰＡパターン（第３のさらなるパターン）が、ＰＡパターン検出部１９０２（検出手段）によって検出される。その検出に応答して、特定用途データ領域ＤＡＳＰに記録された特定用途データ（特定データ）が再生される。
【０３３９】
このように、再生装置１８１０は、予め記録されているデータから第２の同期符号系列（ＳＹ０）、第３の同期符号系列（ＰＡ）のパターンを検出する手段（パターン検出同期手段）を設け、上記パターン検出結果を用いて情報の読み出し開始タイミングを決定する手段（タイミング制御手段、復調手段）を設けたことで、第１のデータ単位（セクタ）や第２のデータ単位（データブロック）の頭出しを高速かつ安定に行いながら情報の再生が行えるので、システムにおける情報再生を高速かつ安定に行うことができる。
【０３４０】
このように、再生装置１８１０のタイミング制御手段１７０４、および信号２値化手段１７０２は、全体として、パターン検出結果を用いて第１の同期フレーム領域（ＬＦ）の所定の期間において再生信号の２値化モードを切り替える２値化モード切り替え手段として機能する。また、タイミング制御手段１８０３およびＰＬＬ手段１８０２は、全体として、再生信号にビット同期したクロックを再生するクロック再生モードの切り替え手段として機能する。これにより、リンキング位置でのデータ不連続・再生信号品質の劣化があっても、その領域をまたぐ情報の再生を安定に行うことができる。その結果、再生装置における情報再生の信頼性を飛躍的に向上させることができる。
【０３４１】
従って、再生装置１８１０は、大容量かつ高速なデータストレージ、ビデオディスクレコーダおよびマルチメディアレコーダに適用して極めて大きな効果を発揮するものである。
【０３４２】
以上７つの実施の形態では、本発明に係る情報記録媒体として光ディスク媒体を例にとって説明してきたが、本発明の技術分野は光学的記録媒体に限定されるものではない。例えば、ハードディスクのような磁気的記録媒体にも本発明は適用することができる。
【０３４３】
本発明に係る記録媒体は、データが記録済みであるもの、データが未記録であるもの、いずれかに限定されるものではない。記録媒体の情報トラックのすべてにデータが記録済みであってもよいし、データが未記録であってもよい。また、記録媒体の情報トラックに、記録済みの部分と、未記録の部分とが混在していてもよい。
【０３４４】
また、実施の形態にて説明した如何なる具体的内容も本発明を限定するものではない。本発明はただ特許請求の範囲において限定されるものであることはいうまでもない。
【図面の簡単な説明】
【０３４５】
【図１】本発明の実施の形態１における記録可能な光ディスク媒体（記録媒体）の上面図
【図２】光ディスク媒体１０１のデータブロック１０３のデータフォーマットを示す図
【図３】本発明の実施の形態１において特に好適な第１の同期領域ＰＡに記録されるパターン（ＰＡパターン）の一例を示す図
【図４】本発明の実施の形態１において特に好適な第２の同期領域ＶＦＯに記録されるパターン（ＶＦＯパターン）の一例を示す図
【図５】Ｔｍｉｎ＝３の場合と、Ｔｍｉｎ＝２の場合とにおける第２の同期領域ＶＦＯに記録されるパターンの一例を示す図
【図６】本発明の実施の形態１において特に好適な第３の同期領域ＳＹのパターン（ＳＹパターン）の一例を示す図
【図７】（ａ）および（ｂ）は、それぞれ、本発明の実施の形態１における通常フレーム領域（すなわち、第２のフレーム領域）およびリンキングフレーム領域（すなわち、第１のフレーム領域）の開始位置の記録パターンの一例を示す図
【図８】本発明の実施の形態２における記録可能な光ディスク媒体（記録媒体）の上面図を示す図
【図９】本発明の実施の形態２の光ディスク媒体のデータフォーマットの例を示す図
【図１０】セクタ３１０３（図９）に含まれる２６個のフレーム領域の先頭に配置される同期符号系列の例を示す図
【図１１】本発明の実施の形態２において同期符号系列として好適に用いられるパターンの一例を示す図
【図１２】本発明の実施の形態２におけるＳＹ０パターンおよびＳＹパターンの具体的な一例を示す図
【図１３】同期符号系列（パターン）の種類毎の符号間距離を模式的に示す図
【図１４】フレーム領域Ｆ０の内部構造の一例を示す図
【図１５】本発明の実施の形態２におけるＳＹ０パターン、ＳＹパターン、およびＰＡパターンの具体的な一例を示す図
【図１６】本発明の実施の形態２におけるＳＹ０パターン、ＳＹパターン、およびＰＡパターンの他の例を示す図
【図１７】セクタ３１０３（図９）に含まれる２６個のフレーム領域の先頭に配置される同期符号系列の他の例を示す図
【図１８】１セクタに含まれる第２のフレーム領域に記録される同期符号系列を光ディスク媒体に記録される順序に並べた例を示す図
【図１９】１セクタに含まれるフレーム領域に記録される同期符号系列を光ディスク媒体に記録される順序に並べた他の例を示す図
【図２０】１セクタに含まれるフレーム領域に記録される同期符号系列を光ディスク媒体に記録される順序に並べたさらに他の例を示す図
【図２１】セクタ３１０３（図９）に含まれる２６個のフレーム領域の先頭に配置される同期符号系列のさらに他の例を示す図
【図２２】ＳＹ０／ＳＹ１／ＳＹ２／ＳＹ３の４種類のパターンが使用される場合に、１セクタに含まれるフレーム領域に記録される同期符号系列を光ディスク媒体に記録される順序に並べた例を示す図
【図２３】本発明の実施の形態３の記録可能な光ディスク媒体４０１の上面図
【図２４】本発明の実施の形態３の光ディスク媒体４０１（図２３）のデータブロック４０３のデータフォーマットを示す図
【図２５】本発明の実施の形態３において特に好適な第４の同期領域ＰＳに記録されるパターン（ＰＳパターン）の一例を示す図
【図２６】本発明の実施の形態３において特に好適なＰＳパターンの他の例を示す図
【図２７】本発明の実施の形態３において特に好適なＰＳパターンのさらに他の例を示す図
【図２８】本発明の実施の形態３において特に好適なＰＳパターンの他の例を示す図
【図２９】本発明の実施の形態３において特に好適なＰＳパターンのさらに他の例を示す図
【図３０】本発明の実施の形態３におけるＰＳパターンのさらに他の例を示す図
【図３１】本発明の実施の形態３におけるＰＳパターンのさらに他の例を示す図
【図３２】本実施の形態における光ディスク媒体７０１の上面図を示す図
【図３３】本実施の形態における光ディスク媒体７０１のデータブロック７０３のデータフォーマットを示す図
【図３４】（ａ）および図３４（ｂ）は、本発明の実施の形態４における第１のフレーム領域８０１ａの構成の他の例を示す図
【図３５】本実施の形態における光ディスク媒体１００１の上面図
【図３６】本実施の形態における光ディスク媒体１００１の再生専用領域１００４に属するデータブロック１００３ａのデータフォーマットを示す図
【図３７】本実施の形態における光ディスク媒体１００１の書き換え可能領域１００５に属するデータブロック１００３ｂのデータフォーマットを示す図
【図３８】本発明の実施の形態６の情報記録装置（記録装置）１７１０の構成を示すブロック図
【図３９】パターン検出同期手段１７０３の内部構成の一例を示すブロック図
【図４０】パターン検出同期手段１７０３の内部構成の他の例を示すブロック図
【図４１】情報記録媒体３１０１のデータフォーマットと位置情報との関係を示す図
【図４２】本発明の実施の形態７の情報再生装置（再生装置）１８１０の構成を示すブロック図
【図４３】リンキングフレームに相当する第１のフレーム領域ＬＦをまたいでデータの再生を行う際の各種タイミング信号の動作波形例を示す図
【図４４】従来のＤＶＤ−ＲＷのリンキング位置付近のデータフォーマットを示す図
【符号の説明】
【０３４６】
１０２、４０２、７０２、１００２  情報トラック
１０３、４０３、３０１、７０３、１００３ａ，１００３ｂ  データブロック
２０１、５０１、８０１、ＬＦ  第１のフレーム領域
２０２、５０２、８０２、Ｆ０〜Ｆ２５  第２のフレーム領域
１７０１  記録再生ヘッド
１７０２  信号２値化手段
１７０３  パターン検出同期手段
１７０４，１８０３  タイミング制御手段
１７０５  ＥＣＣエンコード手段
１７０６  変調手段
１８０１  再生ヘッド
１８０２  ＰＬＬ手段
１８０４  復調手段
１８０５  ＥＣＣデコード手段
３１０３  セクタ
ＰＡ  第１の同期領域
ＶＦＯ  第２の同期領域
ＳＹ  第３の同期領域
ＰＳ  第４の同期領域
【図１】
2004362776.tif 000003
【図２】
2004362776.tif 000004
【図３】
2004362776.tif 000005
【図４】
2004362776.tif 000006
【図５】
2004362776.tif 000007
【図６】
2004362776.tif 000008
【図７】
2004362776.tif 000009
【図８】
2004362776.tif 000010
【図９】
2004362776.tif 000011
【図１０】
2004362776.tif 000012
【図１１】
2004362776.tif 000013
【図１２】
2004362776.tif 000014
【図１３】
2004362776.tif 000015
【図１４】
2004362776.tif 000016
【図１５】
2004362776.tif 000017
【図１６】
2004362776.tif 000018
【図１７】
2004362776.tif 000019
【図１８】
2004362776.tif 000020
【図１９】
2004362776.tif 000021
【図２０】
2004362776.tif 000022
【図２１】
2004362776.tif 000023
【図２２】
2004362776.tif 000024
【図２３】
2004362776.tif 000025
【図２４】
2004362776.tif 000026
【図２５】
2004362776.tif 000027
【図２６】
2004362776.tif 000028
【図２７】
2004362776.tif 000029
【図２８】
2004362776.tif 000030
【図２９】
2004362776.tif 000031
【図３０】
2004362776.tif 000032
【図３１】
2004362776.tif 000033
【図３２】
2004362776.tif 000034
【図３３】
2004362776.tif 000035
【図３４】
2004362776.tif 000036
【図３５】
2004362776.tif 000037
【図３６】
2004362776.tif 000038
【図３７】
2004362776.tif 000039
【図３８】
2004362776.tif 000040
【図３９】
2004362776.tif 000041
【図４０】
2004362776.tif 000042
【図４１】
2004362776.tif 000043
【図４２】
2004362776.tif 000044
【図４３】
2004362776.tif 000045
【図４４】
2004362776.tif 000046